(57)【要約】【課題】より効果的な演出を実行可能な弾球遊技機を提供する。【解決手段】弾球遊技機は、所定の条件を充足する保留球であるトリガ保留が保留制御手段に保留されていることを示唆又は報知する保留先読み演出を実行可能である。保留先読み演出は、トリガ保留に対応する保留球画像を変化させる保留変化演出と、複数回の図柄の変動表示にわたって実行される連続演出とを少なくとも含む。事前判定情報に基づいて、第１保留制御手段又は第２保留制御手段に保留されているトリガ保留を対象とする保留先読み演出を実行するか否かを所定のタイミングで決定する。先に変動表示開始条件を充足する先行保留球の数が合計で所定の個数未満であるトリガ保留を対象とした保留先読み演出を実行可能とし、特定遊技中は、第１特別図柄の保留を有する場合に保留先読み演出を実行しない。【選択図】図２８
2020168521.tif 000002
【特許請求の範囲】
【請求項１】
遊技領域が形成された遊技盤と、
前記遊技領域に設けられた第１始動入賞口と、
前記遊技領域に設けられた第２始動入賞口と、
第１の図柄が変動表示される第１図柄表示装置と、
第２の図柄が変動表示される第２図柄表示装置と、
所定の演出画像が表示される演出表示装置と、
抽選処理を含む遊技の基本動作を主に制御する主制御装置と、
前記抽選処理の結果を示すための表示処理を含む遊技の演出的動作を主に制御する副制御装置と、
を備える弾球遊技機であって、
前記主制御装置は、
前記第１始動入賞口への入球を契機として第１の抽選値を取得する第１抽選値取得手段と、
前記第２始動入賞口への入球を契機として第２の抽選値を取得する第２抽選値取得手段と、
前記第１抽選値取得手段により取得された前記第１の抽選値に基づいて当否を判定する第１当否判定手段と、
前記第２抽選値取得手段により取得された前記第２の抽選値に基づいて当否を判定する第２当否判定手段と、
前記第１の図柄の変動表示過程を示す変動パターンを決定する第１変動パターン決定手段と、
前記第２の図柄の変動表示過程を示す変動パターンを決定する第２変動パターン決定手段と、
前記第１変動パターン決定手段により決定された変動パターンにしたがって、前記第１の図柄を前記第１図柄表示装置に変動表示させる第１表示制御手段と、
前記第２変動パターン決定手段により決定された変動パターンにしたがって、前記第２の図柄を前記第２図柄表示装置に変動表示させる第２表示制御手段と、
前記第１当否判定手段による第１の当否判定結果が当りとなった場合に、通常遊技より遊技者に有利な状態である第１の特別遊技を実行する第１特別遊技制御手段と、
前記第２当否判定手段による第２の当否判定結果が当りとなった場合に、前記通常遊技より遊技者に有利な状態である第２の特別遊技を実行する第２特別遊技制御手段と、
前記第１抽選値取得手段により前記第１の抽選値が取得された場合、前記第１の図柄の変動表示開始条件を充足するまで当該第１の抽選値を保留球として所定の上限数まで保留する第１保留制御手段と、
前記第２抽選値取得手段により前記第２の抽選値が取得された場合、前記第２の図柄の変動表示開始条件を充足するまで当該第２の抽選値を保留球として所定の上限数まで保留する第２保留制御手段と、
前記第１始動入賞口又は前記第２始動入賞口への入球があったときに、当該入球を契機として取得された抽選値に基づく当否判定結果を示す図柄の変動表示が直ちに開始されるか否かにかかわらず、当該入球に関する情報を事前判定情報として前記副制御装置へ通知する通知手段と、
を備え、
前記副制御装置は、
前記演出表示装置に表示させる演出画像を決定する演出決定手段と、
前記演出決定手段により決定された演出画像を前記演出表示装置に表示する演出制御手段と、
を備え、
前記第１保留制御手段及び前記第２保留制御手段に保留されている保留球は入球した順に変動表示開始条件を充足し、
前記第１保留制御手段及び前記第２保留制御手段に保留されている保留球に対応する当否判定の結果が当りである期待度を示唆する保留球画像を前記演出表示装置に表示可能であり、
所定の条件を充足する保留球であるトリガ保留が前記第１保留制御手段及び／又は前記第２保留制御手段に保留されていることを示唆又は報知する保留先読み演出を実行可能であり、
前記保留先読み演出は、前記トリガ保留に対応する保留球画像を変化させる保留変化演出と、複数回の図柄の変動表示にわたって実行される連続演出とを少なくとも含み、
前記事前判定情報に基づいて、前記第１保留制御手段又は前記第２保留制御手段に保留されているトリガ保留を対象とする保留先読み演出を実行するか否かを所定のタイミングで決定し、
保留先読み演出として連続演出を実行すると決定された場合、当該連続演出の対象とされたトリガ保留よりも先に変動表示開始条件を充足する先行保留球が合計で所定の個数以上保留されている間、当該連続演出の実行を制限し、
前記所定の個数は通常遊技中であるか特定遊技中であるかによって異なり、
前記特定遊技中である場合には、前記演出表示装置において第１保留制御手段に保留されている保留球に対応する保留球画像は表示しない一方で、第２保留制御手段に保留されている保留球に対応する保留球画像が表示され、
前記演出決定手段は、前記特定遊技中において、第１保留制御手段に保留される保留球に対して前記保留先読み演出の実行を決定せず、前記特定遊技中において前記第１保留制御手段に保留球が存在する場合には、前記第２保留制御手段に保留される保留球に対して前記保留先読み演出の実行を決定せず、
前記特定遊技中において前記第１の特別遊技または前記第２の特別遊技が実行された後の所定の限定的な期間には、特殊な変動パターンテーブルが参照される期間を含み、当該特殊な変動パターンテーブルが参照される期間には前記保留先読み演出の実行を決定しないことを特徴とする弾球遊技機。
【発明の詳細な説明】
【技術分野】
【０００１】
弾球遊技機に関する。
【背景技術】
【０００２】
従来、各種の弾球遊技機のうち、いわゆる第１種ぱちんこ遊技機と呼ばれていた遊技機は、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当たりと呼ばれる特別遊技へと移行するものとして知られている。表示領域における図柄の変動表示は、単に複数の図柄が変動表示されるだけでなく、いわゆるリーチ画面と呼ばれる状態のように、あと一つ図柄が揃えば大当たりとなる状態で変動表示の時間を通常よりも長くする等、遊技者の期待感を高めるための演出が図られている。また、図柄等の画像にキャラクタを用いて変動表示にストーリーを持たせる演出や、特別遊技への移行期待度の高さを予告的に示唆する予告演出によっても遊技者の期待感を高めている（例えば、特許文献１参照）。
【先行技術文献】
【特許文献】
【０００３】
【特許文献１】特開２００３−２３０７１４号公報
【発明の概要】
【発明が解決しようとする課題】
【０００４】
このような遊技機において、遊技者の期待感をより高めるために、効果的な演出を実行する技術が求められる。
【０００５】
本願発明は上記課題に鑑みたもので、より効果的な演出を実行可能な弾球遊技機を提供することを目的とする。
【課題を解決するための手段】
【０００６】
上記課題を解決するために、本発明のある態様の弾球遊技機は、遊技領域が形成された遊技盤と、遊技領域に設けられた第１始動入賞口と、遊技領域に設けられた第２始動入賞口と、第１の図柄が変動表示される第１図柄表示装置と、第２の図柄が変動表示される第２図柄表示装置と、所定の演出画像が表示される演出表示装置と、抽選処理を含む遊技の基本動作を主に制御する主制御装置と、抽選処理の結果を示すための表示処理を含む遊技の演出的動作を主に制御する副制御装置と、を備える弾球遊技機であって、主制御装置は、第１始動入賞口への入球を契機として第１の抽選値を取得する第１抽選値取得手段と、第２始動入賞口への入球を契機として第２の抽選値を取得する第２抽選値取得手段と、第１抽選値取得手段により取得された第１の抽選値に基づいて当否を判定する第１当否判定手段と、第２抽選値取得手段により取得された第２の抽選値に基づいて当否を判定する第２当否判定手段と、第１の図柄の変動表示過程を示す変動パターンを決定する第１変動パターン決定手段と、第２の図柄の変動表示過程を示す変動パターンを決定する第２変動パターン決定手段と、第１変動パターン決定手段により決定された変動パターンにしたがって、第１の図柄を第１図柄表示装置に変動表示させる第１表示制御手段と、第２変動パターン決定手段により決定された変動パターンにしたがって、第２の図柄を第２図柄表示装置に変動表示させる第２表示制御手段と、第１当否判定手段による第１の当否判定結果が当りとなった場合に、通常遊技より遊技者に有利な状態である第１の特別遊技を実行する第１特別遊技制御手段と、第２当否判定手段による第２の当否判定結果が当りとなった場合に、通常遊技より遊技者に有利な状態である第２の特別遊技を実行する第２特別遊技制御手段と、第１抽選値取得手段により第１の抽選値が取得された場合、第１の図柄の変動表示開始条件を充足するまで当該第１の抽選値を保留球として所定の上限数まで保留する第１保留制御手段と、第２抽選値取得手段により第２の抽選値が取得された場合、第２の図柄の変動表示開始条件を充足するまで当該第２の抽選値を保留球として所定の上限数まで保留する第２保留制御手段と、第１始動入賞口又は第２始動入賞口への入球があったときに、当該入球を契機として取得された抽選値に基づく当否判定結果を示す図柄の変動表示が直ちに開始されるか否かにかかわらず、当該入球に関する情報を事前判定情報として副制御装置へ通知する通知手段と、を備え、副制御装置は、演出表示装置に表示させる演出画像を決定する演出決定手段と、演出決定手段により決定された演出画像を演出表示装置に表示する演出制御手段と、を備え、第１保留制御手段及び第２保留制御手段に保留されている保留球は入球した順に変動表示開始条件を充足し、第１保留制御手段及び第２保留制御手段に保留されている保留球に対応する当否判定の結果が当りである期待度を示唆する保留球画像を演出表示装置に表示可能であり、所定の条件を充足する保留球であるトリガ保留が第１保留制御手段及び／又は第２保留制御手段に保留されていることを示唆又は報知する保留先読み演出を実行可能であり、保留先読み演出は、トリガ保留に対応する保留球画像を変化させる保留変化演出と、複数回の図柄の変動表示にわたって実行される連続演出とを少なくとも含み、事前判定情報に基づいて、第１保留制御手段又は第２保留制御手段に保留されているトリガ保留を対象とする保留先読み演出を実行するか否かを所定のタイミングで決定し、保留先読み演出として連続演出を実行すると決定された場合、当該連続演出の対象とされたトリガ保留よりも先に変動表示開始条件を充足する先行保留球が合計で所定の個数以上保留されている間、当該連続演出の実行を制限し、所定の個数は通常遊技中であるか特定遊技中であるかによって異なり、特定遊技中である場合には、演出表示装置において第１保留制御手段に保留されている保留球に対応する保留球画像は表示しない一方で、第２保留制御手段に保留されている保留球に対応する保留球画像が表示され、演出決定手段は、特定遊技中において、第１保留制御手段に保留される保留球に対して保留先読み演出の実行を決定せず、特定遊技中において第１保留制御手段に保留球が存在する場合には、第２保留制御手段に保留される保留球に対して保留先読み演出の実行を決定せず、特定遊技中において第１の特別遊技または第２の特別遊技が実行された後の所定の限定的な期間には、特殊な変動パターンテーブルが参照される期間を含み、当該特殊な変動パターンテーブルが参照される期間には保留先読み演出の実行を決定しないように構成される。
【０００７】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【０００８】
本発明によれば、より効果的な演出を実行可能な弾球遊技機を提供することができる。
【図面の簡単な説明】
【０００９】
【図１】ぱちんこ遊技機の前面側における基本的な構造を示す図である。
【図２】ぱちんこ遊技機の背面側における基本的な構造を示す図である。
【図３】本実施例におけるぱちんこ遊技機の機能ブロックを示す図である。
【図４】当否判定テーブルを模式的に示す図である。
【図５】事前当否判定で参照される事前当否判定テーブルを模式的に示す図である。
【図６】図柄判定テーブルの構成例を示す図である。
【図７】変動パターンテーブルを模式的に示す図である。
【図８】外れ用の変動パターンテーブルを詳細に示す図である。
【図９】メイン基板およびサブ基板のハードウェア構成を概略的に示すブロック図である。
【図１０】演出表示制御装置のハードウェア構成を概略的に示すブロック図である。
【図１１】ぱちんこ遊技機におけるメイン基板の制御開始処理を示すフローチャートである。
【図１２】図１１におけるＳ１２０のメイン処理を詳細に示すフローチャートである。
【図１３】割込処理の詳細を示すフローチャートである。
【図１４】ぱちんこ遊技機におけるサブ基板の制御開始処理を示すフローチャートである。
【図１５】図１４におけるＳ５１８のメイン処理を詳細に示すフローチャートである。
【図１６】メイン基板からコマンドを受信した場合の割込処理を示すフローチャートである。
【図１７】演出表示制御のためのタイマ割込が発生した場合の割込処理を示すフローチャートである。
【図１８】サブＣＰＵが表示ＣＰＵからコマンドを受信した場合の割込処理を示すフローチャートである。
【図１９】各種デバイス制御のためのタイマ割込が発生した場合の割込処理を示すフローチャートである。
【図２０】特別図柄変動表示の過程を示すフローチャートである。
【図２１】装飾図柄変動表示の過程を示すフローチャートである。
【図２２】特別遊技の過程を示すフローチャートである。
【図２３】小当り遊技の過程を示すフローチャートである。
【図２４】演出表示装置に表示される演出画像の例を示す図である。
【図２５】通常状態の通常遊技中に選択可能な保留変化演出パターンの例を示す図である。
【図２６】通常状態の通常遊技中に選択可能な連続演出パターンの例を示す図である。
【図２７】特定遊技中に選択可能な保留変化演出パターンの例を示す図である。
【図２８】特定遊技中に選択可能な連続演出パターンの例を示す図である。
【発明を実施するための形態】
【００１０】
第１の抽選のための第１始動入賞口と第２の抽選のための第２始動入賞口が設けられ、第１の抽選と第２の抽選が入球順に実行されるぱちんこ遊技機において、保留されている保留球の合計数に応じて保留先読み演出の実行を制限する技術について説明する。まず、前提技術として、一般的なぱちんこ遊技機の実施例を説明し、その後に、本発明に係るぱちんこ遊技機の実施例を説明する。前提技術として説明する実施例は、ぱちんこ遊技機における一般的な構成及び動作を示すものであり、本発明に係るぱちんこ遊技機の実施例と矛盾しない限り、本発明に係るぱちんこ遊技機にも適用可能である。本発明に係るぱちんこ遊技機の実施例において、前提技術とは異なる技術が用いられる場合は、後述する実施例において説明する。
【００１１】
本実施例のぱちんこ遊技機においては、従来にいう第１種ぱちんこ遊技機に相当する遊技が複数混在する。その複数の遊技としての第１の遊技と第２の遊技の遊技性を両立させるために、本実施例のぱちんこ遊技機は、複数の始動入賞口、複数の特別図柄表示装置、複数の保留ランプを備える。遊技球が第１始動入賞口に入球すると第１の当否抽選（単に「第１の抽選」という）、遊技球が第２始動入賞口または第３始動入賞口に入球すると第２の当否抽選（単に「第２の抽選」ともいう）がそれぞれ実行され、その抽選結果が「大当り」であった場合、大入賞口が開閉を繰り返す特別遊技が開始される。大入賞口が開放されて遊技球が入球すると、その都度所定数の賞球が払い出されることで遊技者は利益を獲得できる。
【００１２】
大当りの種類によっては、特別遊技の終了後に確変状態（いわゆる「確変」）や、入球容易状態（いわゆる「時短」）となる。確変状態や入球容易状態は、図柄変動が所定回数終了したとき、大当りが発生して特別遊技が実行されるとき等、予め定められた終了条件を満たしたときに終了する。
【００１３】
本実施例のぱちんこ遊技機においては、第１の遊技における大当りの出玉より、第２の遊技における大当りの出玉の方がおおむね多くなるように設計される。例えば、第２の遊技の方が大当りした際の確変を伴う大当りとなる確率が高く、また、第２の遊技の方が特別遊技を構成する単位遊技数が多い（大入賞口の開放時間が長い長開放単位遊技と開放時間が短い短開放単位遊技とが一つの特別遊技中に混在し、同一単位遊技数であっても第２の遊技の方が第１の遊技よりも長開放単位遊技の数が多い場合を含む）など、第２の遊技の方が第１の遊技より相対的に利益が高くなる設計がされている。
【００１４】
図１は、ぱちんこ遊技機の前面側における基本的な構造を示す。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１５】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等をする機構を有する。下球皿１６は、遊技球の貯留、抜き取り等の機構を有する。上球皿１５と下球皿１６の間にはスピーカ１８が設けられており、後述する演出を制御する手段によって遊技状態などに応じた効果音が出力される。
【００１６】
遊技盤５０は、外レール５４と内レール５６により区画された遊技領域５２上に、アウト口５８、第１特別図柄表示装置７０、第２特別図柄表示装置７１、演出表示装置６０、第１始動入賞口（以下「第１始動口」という）２５４、第２始動入賞口（以下「第２始動口」という）６２、第３始動入賞口（以下「第３始動口」という）６３、センター飾り６４、大入賞口９１、作動口６８、一般入賞口７２を含む。さらに遊技領域５２には、図示しない複数の遊技釘や風車などの機構が設置される。
【００１７】
第１始動口２５４は第１の遊技に対応する始動入賞口として設けられる。第２始動口６２および第３始動口６３は第２の遊技に対応する始動入賞口として設けられる。第２始動口６２および第１始動口２５４の上方には、振分口２５２を有する振分機構２５０が設けられる。振分機構２５０は、振分口２５２に入球する遊技球を、第１の遊技に対応する第１始動口２５４と第２の遊技に対応する第２始動口６２へ所定の規則で振り分ける。これにより、第１特別図柄１９２の変動表示と、第２特別図柄１９３の変動表示とが所定の規則で実行される。本実施例においては、振分機構２５０は、第１始動口２５４と第２始動口６２とへ一球ずつ交互に振り分けるが、別の例においては、複数球ずつ交互に振り分けてもよい。また、必ずしも交互に振り分ける必要はなく、所定の規則で振り分けた結果として、第１始動口２５４および第２始動口６２のそれぞれに均等に振り分けられていればよい。
【００１８】
振分口２５２は遊技領域５２のセンター飾り６４の中央下方位置に配置され、通常のいわゆる左打ちによってセンター飾り６４の左側を流れた遊技球が主に入球する。第３始動口６３はセンター飾り６４の右下方位置に配置され、第３始動口６３へ入球すべき期間、例えば入球容易状態において、いわゆる右打ちによってセンター飾り６４の右側を流れた遊技球が主に入球する。作動口６８も遊技領域５２の右方に設けられることで、第３始動口６３を狙った遊技球が作動口６８にも通過しやすく、第３始動口６３への入球数増加を同時に狙うことができ、速やかな連続当りが期待できる。当否抽選は、通常遊技より遊技者に有利な状態である特別遊技へ移行するか否かを判定する抽選であり、第１始動口２５４、第２始動口６２、または第３始動口６３へ入球があるたびに実行される。
【００１９】
振分口２５２は遊技領域５２のセンター飾り６４の中央下方位置に配置され、通常のいわゆる左打ちによってセンター飾り６４の左側を流れた遊技球が主に入球する。第３始動口６３はセンター飾り６４の右下方位置に配置され、第３始動口６３へ入球すべき期間、例えば入球容易状態において、いわゆる右打ちによってセンター飾り６４の右側を流れた遊技球が主に入球する。作動口６８も遊技領域５２の右方に設けられることで、第３始動口６３を狙った遊技球が作動口６８にも通過しやすく、第３始動口６３への入球数増加を同時に狙うことができ、速やかな連続当りが期待できる。当否抽選は、通常遊技より遊技者に有利な状態である特別遊技へ移行するか否かを判定する抽選であり、第１始動口２５４、第２始動口６２、または第３始動口６３へ入球があるたびに実行される。
【００２０】
第１始動口２５４は、始動入賞検出装置２５６を備える。始動入賞検出装置２５６は、第１始動口２５４への遊技球の入球を検出するセンサであり、入球時にその入球を示す第１始動入賞情報を生成する。第２始動口６２は、始動入賞検出装置７４を備える。始動入賞検出装置７４は、第２始動口６２への遊技球の入球を検出するセンサであり、入球時にその入球を示す第２始動入賞情報を生成する。第３始動口６３は、始動入賞検出装置７５と、拡開機構である普通電動役物６５（いわゆる電動チューリップ）と、普通電動役物６５を開閉させるための普通電動役物ソレノイド７６を備える。始動入賞検出装置７５は、第３始動口６３への遊技球の入球を検出するセンサであり、入球時にその入球を示す第３始動入賞情報を生成する。
【００２１】
振分機構２５０は、第１始動口２５４および第２始動口６２の入口をふさぐように形成されており、振分機構２５０を通過しなければ第１始動口２５４および第２始動口６２に遊技球が入球されない構造となっている。振分機構２５０は、遊技球が入球する振分口２５２を有し、振分口２５２に入球した遊技球を交互に第１始動口２５４または第２始動口６２へと導く。本図の例では、振分機構２５０は、振分口２５２に入球した遊技球を受けて一時的に保持することが可能な保持部２５１を左右に１つずつ有する。この保持部２５１は、左右の保持部２５１の間に設けられた回転軸を中心として回転可能に設けられる。例えば、図１に示した状態で振分口２５２に遊技球が入球すると、入球した遊技球はいったん右側の保持部２５１に保持されるが、遊技球の重みで回転機構が時計回りに回転するので、保持部２５１に保持された遊技球は右側にある第１始動口２５４の方に落下し、第１始動口２５４に入球する。このとき、左側の保持部２５１が上方に来るので、次に振分口２５２に入球した遊技球は、左側の保持部２５１に保持された後、左側にある第２始動口６２の方に落下して、第２始動口６２に入球する。これにより、振分口２５２を狙うことにより第１の抽選と第２の抽選が入球順に交互に実行されることとなる。
【００２２】
作動口６８への遊技球の通過により、普通電動役物６５の作動が決定されると、普通電動役物ソレノイド７６の駆動力により普通電動役物６５が拡開され、第３始動口６３への入球容易性が高まる。普通電動役物６５の１回の開放時間は、通常状態においては０．２秒程度の短時間であるが、入球容易状態においては普通電動役物６５の１回の開放時間が６秒程度と通常入球状態よりも長く設定されるので、遊技球は第３始動口６３に入球しやすくなる。普通電動役物６５の作動期間の延長に係る機能（長開放）は「開放延長」とも呼ばれる。
【００２３】
なお、本実施例では、第３始動口６３に設けられた開閉弁部材が拡開していない状態においては第３始動口６３がその直上の釘等によって遮蔽され、その入球が規制される態様となる。また、本実施例では入球容易状態でない限り、普通電動役物６５の作動頻度は作動口６８への遊技球の通過に伴う開放抽選（普通図柄抽選）の当選確率が低い低確率状態とされるため、第３始動口６３への入球はほぼ期待できない。このように、入球容易状態（普通図柄抽選高確率状態）でない場合、第３始動口６３へ入球させることは振分口２５２へ入球させるより困難となる。一方、入球容易状態（普通図柄抽選高確率状態、開放延長機能作動状態）になると、普通電動役物６５が高頻度で、かつ、長く拡開されることにより第３始動口６３への入球容易性が高められ、振分口２５２へ入球させるよりもむしろ第３始動口６３へ入球させる方が容易となる。このため、第３始動口６３の入球容易性が低い状態においては主に振分口２５２へ入球させ、第３始動口６３の入球容易性が高められた状態においては主に第３始動口６３へ入球させる遊技性となる。また、入球容易状態として、普通図柄抽選の結果を示す普通図柄の変動時間を短縮する普図時短機能を有する場合もある。
【００２４】
一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。
【００２５】
大入賞口９１は、第１の遊技および第２の遊技に共通の大入賞口として設けられ、遊技球の入球を検出するための入賞検出装置７７と、大入賞口９１を拡開させるための大入賞口ソレノイド７８を備える。入賞検出装置７７は、大入賞口９１への遊技球の入球を検出するセンサであり、入球時にその入球を示す大入賞口入賞情報を生成する。大入賞口９１は、第１特別図柄１９２または第２特別図柄１９３が所定の態様にて停止したときに開始される特別遊技において「大当り」として開放状態となる横長方形状の入賞口である。大入賞口９１は、例えばアウト口５８の上方等の位置に設けられる。大入賞口９１の設置個数としては、一つだけ設置する構成に限らず、複数個の大入賞口９１を設置してそれぞれを遊技状態等に応じて使い分ける構成としてもよい。また、大入賞口９１を遊技領域下方中央に設けているが、図示しない遊技盤上に配置する遊技釘や風車等の障害物により、遊技領域の右側領域を通過させるよう遊技球を発射する方が大入賞口９１への入球が容易としている。
【００２６】
遊技領域５２の左下方に第１の遊技に対応する第１特別図柄表示装置７０と第２の遊技に対応する第２特別図柄表示装置７１とが左右に並設され、第１特別図柄１９２および第２特別図柄１９３の変動が表示される。遊技領域５２の略中央には演出表示装置６０が設けられ、第１特別図柄１９２または第２特別図柄１９３に連動する装飾図柄１９０を含む演出画像の変動を表示する。以下、そうした表示を「図柄変動」または「変動表示」等という。
【００２７】
第１特別図柄１９２は、第１始動口２５４への遊技球の入球を契機として行われる第１の抽選の結果に対応した図柄であり、その変動表示が所定の当り態様にて停止されたときに特別遊技としての大当りが発生する。第２特別図柄１９３は、第２始動口６２または第３始動口６３への遊技球の入球を契機として行われる第２の抽選の結果に対応した図柄であり、その変動表示が所定の当り態様にて停止されたときに特別遊技としての大当りが発生する。第１特別図柄表示装置７０および第２特別図柄表示装置７１は、例えば７セグメントＬＥＤで構成される表示装置である。本実施例においてセグメントの組合せで表される第１特別図柄１９２および第２特別図柄１９３は、必ずしも文字や数字の体をなしておらず、７セグメントＬＥＤを構成する各セグメントの組合せで形成される一般に意味を持たない記号であってよい。これらの記号が高速で次々に入れ替わって第１特別図柄表示装置７０および第２特別図柄表示装置７１へ表示されることにより、第１特別図柄１９２および第２特別図柄１９３の図柄変動表示が実現される。また、７セグメントＬＥＤは、「８の字」を形成する７個のセグメントおよび「ドット」を表す１個のセグメントからなる８個のセグメントで構成されてもよい。この場合、８個のセグメントを組み合わせることにより８ビット分の数値を表現できる。さらに、第１特別図柄表示装置７０および第２特別図柄表示装置７１を７セグメントＬＥＤではないＬＥＤドットアレーを用いて、その点灯パターンや点灯色の組合せで複数種類の第１特別図柄１９２および第２特別図柄１９３を表現してもよい。
【００２８】
演出表示装置６０は、第１特別図柄１９２または第２特別図柄１９３の変動表示と連動する形で装飾図柄１９０を変動表示する液晶ディスプレイで構成される表示装置である。装飾図柄１９０は、第１特別図柄１９２および第２特別図柄１９３で示される抽選の判定結果表示を視覚的に演出するための図柄である。演出表示装置６０は、装飾図柄１９０として、例えばスロットマシンのゲームを模した複数列の図柄を変動させる動画像を画面の中央領域に表示する。本実施例においては、「０」〜「９」の数字で構成される図柄を３列に表示して変動させ、最終的に停止表示される３個の図柄組合せによって当りまたは外れを示す。装飾図柄１９０を構成する複数図柄のそれぞれは、色彩や模様の装飾が施された数字、文字、または記号で構成されるが、これら数字、文字、記号に対して全図柄に共通する絵柄または図柄ごとに異なる絵柄を加えて一体化させる形で構成されてもよい。この絵柄は、ぱちんこ遊技機１０の当該機種に設定された装飾または演出のテーマに関連するモチーフが描かれた絵柄であり、例えば人物や動物のキャラクタが描かれた絵柄であってもよい。装飾図柄１９０は、絵柄が一体的に含まれる図柄が変動表示される場合と、絵柄が分離して数字、文字、記号の部分のみが変動表示される場合とが、演出の展開に沿って切り替えられる構成であってもよい。装飾図柄１９０の変動表示の背景には、ぱちんこ遊技機１０の当該機種に設定された装飾または演出のテーマに関連する演出的効果を有する動画像が図柄変動と連動して表示される。
【００２９】
演出表示装置６０は、本実施例では液晶ディスプレイなどの高精細なドットマトリクス型表示装置で構成されるが、ドラム回転式などの機械的表示手段やＬＥＤマトリクス式などの表示手段で構成されてもよい。なお、第１特別図柄１９２および第２特別図柄１９３は必ずしも演出的な役割をもつことを要しないため、本実施例では演出表示装置６０の左下方の第１特別図柄表示装置７０および第２特別図柄表示装置７１にて目立たない大きさで表示させる。ただし、特別図柄自体に演出的な役割をもたせることで装飾図柄を用いずに表現する手法を採用する場合には、特別図柄を７セグメントＬＥＤではなく液晶ディスプレイに表示させる構成としてもよい。
【００３０】
作動口６８は、遊技盤５０の右側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は普通電動役物６５を拡開させるか否かを決定する開放抽選の契機となる。作動口６８を遊技球が通過すると、開放抽選の結果を示す図柄である普通図柄が普通図柄表示装置５９に変動表示される。したがって、開放抽選は「普通図柄抽選」とも呼ぶ。本実施例における普通図柄表示装置５９は、便宜上、二つのランプで構成されるとともに、それらのうちいずれのランプが点灯しているかによって普通図柄の表示状態が表現される。例えば、第１のランプの点灯が外れを示し、第２のランプが当りを示すとき、それらが交互に点灯と消灯を繰り返すことによって普通図柄の変動表示が表現され、最終的にいずれかの点灯状態にて停止されることで普通図柄の停止図柄が表現される。普通図柄表示装置５９は演出表示装置６０の右下方に設けられる。変動開始から所定時間の経過後に、普通図柄の変動表示が停止する。このとき、通常入球状態では例えば１／２５６程度の低確率にて普通図柄が当りの図柄で停止し、入球容易状態では例えば２５０／２５６程度の高確率にて普通図柄が当りの図柄で停止する。普通図柄が当りの図柄で停止すると、普通電動役物６５が所定時間拡開される。普通電動役物６５の開放時間は、例えば通常状態では０．２秒間であり、入球容易状態では６秒間である。普通図柄の変動時間は、例えば通常状態では３０〜６０秒間であり、入球容易状態では２秒間である。
【００３１】
なお、上述の通り普通図柄の当り確率の変動、普通電動役物６５の開放時間の延長、普通図柄の変動時間の短縮の３つの機能を用いて第３始動口６３への入球容易性を高める構成を本実施例では採用する。ただし、変形例としては、これら３つの機能のうち、１つまたは２つの機能を用いて第３始動口６３への入球容易性を高める構成としてもよい。このように３つの機能のうち一部だけを用いても第３始動口６３への入球容易性を高めることは可能である。また、後述の通り本実施例ではいわゆる「時短」と呼ばれる特別図柄の変動時間短縮機能を入球容易状態においてさらに実施する仕様とするが、変形例では入球容易状態において特別図柄の時短を実施しない仕様としてもよい。
【００３２】
演出表示装置６０の周囲には、センター飾り６４が設けられる。センター飾り６４は、遊技球の流路、演出表示装置６０の保護、装飾等の機能を有する。遊技領域５２の左下部には、第１特別図柄保留表示装置２０および第２特別図柄保留表示装置２１が設けられ、その対称的な位置である遊技領域５２の右下部には、普通図柄表示装置５９の下に普通図柄保留表示装置２２が設けられている。
【００３３】
装飾ランプ９０がセンター飾り６４の上部および下部に設けられ、点滅等することで演出の役割を果たす。第１特別図柄表示装置７０の上方には第１の遊技に対応する第１特別図柄保留表示装置２０が設けられ、第２特別図柄表示装置７１の上方には第２の遊技に対応する第２特別図柄保留表示装置２１が設けられている。第１特別図柄保留表示装置２０は２個のランプからなり、その点灯個数または点滅個数によって第１の遊技における当否抽選値の保留数を表示する。第１特別図柄保留表示装置２０における当否抽選値の保留数は、特別図柄の変動中または特別遊技の実行中に第１始動口２５４へ入賞した抽選結果の個数であり、図柄変動がまだ実行されていない入賞球の数を示す。第２特別図柄保留表示装置２１も２個のランプからなり、その点灯個数または点滅個数によって第２の遊技における当否抽選値の保留数を表示する。第２特別図柄保留表示装置２１における当否抽選値の保留数は、特別図柄の変動中または特別遊技の実行中に第２始動口６２または第３始動口６３へ入賞した抽選結果の個数であり、図柄変動がまだ実行されていない入賞球の数を示す。
【００３４】
第１の遊技および第２の遊技に対する当否抽選の保留数の合計が５個を超えると、遊技効率を高めるために外れの場合の図柄変動時間が通常より短縮される（以下、「短縮変動」ともいう）。同様に、当否抽選の保留数が７個を超えると、さらに遊技効率を高めるために外れの場合の図柄変動時間が上記５個、６個の場合よりもさらに短縮される（以下、「超短縮変動」ともいう）。
【００３５】
普通図柄保留表示装置２２もまた２個のランプからなり、その点灯個数または点滅個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。
【００３６】
操作ボタン８２は、遊技者が遊技機へ所定の指示を入力するために操作する操作入力手段であり、その操作入力の内容に応じて演出内容等に変化が加えられる。操作ボタン８２は、上球皿１５近傍の外壁面に設けられる。本実施例における操作ボタン８２は一つのボタンで構成されるが、複数のボタンや十字キーなどの方向指示ボタン、さらにはタッチパネルなどの入力インターフェースやそれらの各種入力手段の組み合わせで構成されてもよい。
【００３７】
以上のような構成においてなされる遊技の方法および制御の流れを概説する。遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当たりながらその当たり方に応じた方向へ落下する。遊技球が一般入賞口７２、第１始動口２５４、第２始動口６２、第３始動口６３、大入賞口９１の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口の他に作動口６８のように遊技球がそのまま遊技盤上の遊技領域を流下するゲートタイプのものが存在するが、本願において「落入」「入球」「入賞」というときは、ゲートタイプの「通過」を含むものとする。
【００３８】
第１始動口２５４、第２始動口６２、または第３始動口６３に入球すると、第１特別図柄表示装置７０、第２特別図柄表示装置７１および演出表示装置６０において第１特別図柄１９２、第２特別図柄１９３、および装飾図柄１９０が変動表示される。第１特別図柄１９２、第２特別図柄１９３、および装飾図柄１９０の変動表示は、表示に先だって決定された変動表示時間の経過後に停止される。第１特別図柄１９２および第２特別図柄１９３は、その変動開始から停止までの変動態様が定められた変動パターンにしたがって変動表示される。装飾図柄１９０は、その変動開始から停止までの変動態様が定められた変動演出パターンにしたがって変動表示される。変動パターンおよび変動演出パターンはそれぞれ複数種ずつ用意され、それぞれが長短様々な変動時間をもつ。変動パターンにしたがって第１特別図柄１９２および第２特別図柄１９３が変動表示される間、同じ変動時間をもつ変動演出パターンにしたがって装飾図柄１９０が変動表示される。変動パターンには、その図柄変動の終了条件としてパターンごとに変動表示時間が定められており、その変動表示時間の経過時に第１特別図柄１９２、第２特別図柄１９３、および装飾図柄１９０の変動が停止される。
【００３９】
装飾図柄１９０の変動表示としては、まず変動開始とともにスロットマシンのリール回転のように３列とも図柄を変動させ、変動終了タイミングへ近づいたときに一列ずつ停止させることで最終的な停止態様としての図柄組合せを表示する。停止時の第１特別図柄１９２、第２特別図柄１９３、および装飾図柄１９０が大当りを示す停止態様となった場合、通常遊技よりも遊技者に有利な遊技状態である特別遊技に移行し、大入賞口９１の開閉動作が開始される。大当りを示す装飾図柄１９０の停止態様は、例えば３つの図柄の種類が一致する組合せの態様である。なお、装飾図柄１９０の変動停止時の動作として、１列ずつではなく複数列同時に停止させるよう制御して、変動表示中に装飾図柄以外の演出表示を注目させたり、より短い変動時間で変動表示を表示できるようにしてもよい。
【００４０】
変動演出パターンには、通常外れ演出パターン、リーチ外れ演出パターン、リーチ大当り演出パターンが含まれる。通常外れ演出パターンは、通常の外れの図柄組合せを表示するときの演出パターンである。リーチ外れ演出パターンは、あと一つ図柄が揃えば大当りとなる状態であるリーチ状態を経て外れの図柄組合せを表示するときの演出パターンである。リーチ大当り演出パターンは、リーチ状態を経て大当りの図柄組合せを表示するときの演出パターンである。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「スーパーリーチ」と称する。通常外れ演出パターン、リーチ外れ演出パターン、リーチ大当り演出パターンは、それぞれ通常状態にて表示する通常のパターンと、時短状態において表示する時短用パターンとがある。なお、実施例では時短状態において時短用のパターンを用いるが、確変状態では時短を伴うため、確変状態においても時短用パターンが用いられる。ただし、変形例では確変状態において時短用とは異なる確変用のパターンを用いる仕様としてもよい。あるいは、時短用と確変用で共通のパターンを用いる仕様としてもよいし、時短用のパターンは特に用いずに確変状態において確変用のパターンを用いる仕様としてもよい。
【００４１】
特別遊技には通常特別遊技と短縮特別遊技の２種類があり、それぞれ獲得賞球による利益に大きな差が生じる。通常特別遊技は、開始デモ時間と呼ばれる演出画面の表示によって開始される。開始デモ時間の画面表示後に大入賞口９１が開放され、その開放が約３０秒間続いた後、または９球の遊技球が落入した後で一旦閉鎖される。このような大入賞口９１の開放から閉鎖までが、基本的には単位遊技と呼ばれるが、１回の単位遊技の期間に複数回の短時間の開放を繰り返す場合があってもよい。大入賞口９１の開閉ないし単位遊技が所定回数、例えば１５回繰り返された後、終了デモ時間と呼ばれる演出画面の表示によって通常特別遊技が終了される。通常特別遊技においては、１回の単位遊技あたり９球以上の入球が十分に期待でき、１５回分の単位遊技によって十分な賞球（これを「出玉」ともいう）を獲得でき、大きな利益が得られる。１５回の単位遊技が繰り返される特別遊技を適宜「１５Ｒ大当り」とも称する。
【００４２】
一方、短縮特別遊技は、開始デモ時間および終了デモ時間が短く、１回の単位遊技で大入賞口９１を０．２秒間だけ開放させる。この単位遊技を２回繰り返して短縮特別遊技が終了される。短縮特別遊技では、ごく短時間の大入賞口９１の開放を２回繰り返すだけであるため、大入賞口９１にはほとんど入球し得ず、実質的に出玉がほぼゼロに等しい特別遊技である。２回の単位遊技が繰り返される特別遊技を適宜「２Ｒ大当り」とも称する。
【００４３】
停止時の第１特別図柄１９２または第２特別図柄１９３および装飾図柄１９０が所定の小当り態様であった場合、１回の単位遊技で構成される小当り遊技に移行し、大入賞口９１の開閉動作が実行される。小当り遊技を構成する１回の単位遊技においては、大入賞口９１が約０．２秒間の開放を２回繰り返すので、外観上は２Ｒ大当りと同様の動作態様となる。
【００４４】
特別遊技が終了した後の通常遊技において特定遊技の一つである入球容易状態が開始される。入球容易状態においては、開放抽選が当りになる確率を通常より高め、普通図柄の変動時間を通常状態より短縮するとともに、普通電動役物６５の拡開時間を通常状態よりも長くする、いわゆる開放延長を実行する。このように、入球容易状態では一定時間あたりの普通図柄の変動回数が通常状態よりも増加する可能性が高まる上、第３始動口６３への入球容易性も増すため、第３始動口６３への入球数が増加する可能性も高い。したがって、入球容易状態では第３始動口６３への入球による賞球を得られる機会が増加する結果、持ち玉をほとんど減らさないか、あるいは少しずつ持ち玉を増やしながら遊技し続けることが可能となる。
【００４５】
入球容易状態においては、さらに第１特別図柄１９２、第２特別図柄１９３、装飾図柄１９０の変動時間が通常状態における変動時間の平均値より短縮されるよう変動時間の短い変動パターンが選択される、いわゆる時短が実行される。第１特別図柄１９２、第２特別図柄１９３、装飾図柄１９０の変動時間は、所定の変動回数、例えば１００回の変動表示がなされた後で元の変動時間に戻されるが、その変動回数に達する前に大当りが発生すれば時短もいったん終了する。時短において第１特別図柄１９２、第２特別図柄１９３、装飾図柄１９０の変動時間が短縮されるため、通常の変動時間のまま図柄変動がなされる通常状態の場合と比べて、大当りが発生するまでの時間を短縮することができ、大当りの獲得容易性を相対的に高めることができる。変形例では、入球容易状態において特別図柄の時短を実施しない仕様としてもよい。
【００４６】
特別遊技が発生した場合であってそのときの当り停止図柄が特定の態様であった場合、特別遊技の終了後に特定遊技の一つである確変がさらに開始される。確変中は、通常の確率状態より当りの確率が高い当否抽選が行われ、比較的早期に新たな特別遊技が発生し得る。なお、当否抽選の判定結果が特定大当り、すなわち確変を伴う大当りであったことは外観上明示せず、装飾図柄や演出内容として明示的に報知しない潜伏確変状態や、装飾図柄を大当りであることを明確にしない態様とした後、確変状態に制御する旨を報知することで、確変状態が突如発生したかのように見せる突然確変状態としてもよい。その場合、確変中であっても確変であるか非確変であるかが演出表示装置６０には明示されない。なお、本実施例では、１５Ｒ大当りと、小当りと外観上同様の大入賞口９１の開放を行う２Ｒ大当りを例示したが、それ以外の特別遊技を実行する大当りをさらに備えるように適宜変更可能である。
【００４７】
図２は、ぱちんこ遊技機の背面側における基本的な構造を示す。電源スイッチ４０は、ぱちんこ遊技機１０の電源をオンオフするスイッチである。メイン基板２００は、ぱちんこ遊技機１０の全体動作を制御し、とくに第１始動口２５４、第２始動口６２、第３始動口６３へ入賞したときの抽選等、遊技動作全般を処理する。サブ基板３００は、液晶ユニット４２を備え、演出表示装置６０における表示内容を制御し、特にメイン基板２００による判定結果に応じて表示内容を変動させる。メイン基板２００およびサブ基板３００は、遊技制御装置１００を構成する。裏セット機構３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００４８】
図３は、本実施例におけるぱちんこ遊技機１０の機能ブロックを示す。ぱちんこ遊技機１０において、遊技制御装置１００は、第１始動口２５４、第２始動口６２、第３始動口６３、大入賞口９１、一般入賞口７２、作動口６８、第１特別図柄表示装置７０、第２特別図柄表示装置７１、演出表示装置６０、普通図柄表示装置５９、操作ボタン８２、スピーカ１８、装飾ランプ９０のそれぞれと電気的に接続されており、各種制御信号の送受信を可能とする。遊技制御装置１００は、遊技の基本動作だけでなく、図柄変動表示や電飾等の演出的動作も制御する。遊技制御装置１００は、遊技の基本動作や遊技の進行を含むぱちんこ遊技機１０の全体動作を制御する主制御装置としてのメイン基板２００と、図柄の演出等を制御する副制御装置としてのサブ基板３００とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００４９】
本実施例におけるメイン基板２００は、入球判定手段１１０、第１遊技制御手段１２６、第２遊技制御手段１２８、普図抽選手段１２９、保留制御手段１１６、メイン表示制御手段１１８、特別遊技制御手段１２０、特定遊技制御手段１２２、開閉制御手段１２４、特図調整手段１５２を備える。本実施例におけるサブ基板３００は、パターン記憶手段１３０、図柄態様決定手段１３１、演出決定手段１３２、演出表示制御手段１３４を備える。なお、メイン基板２００に含まれる各機能ブロックは、いずれかがメイン基板２００ではなくサブ基板３００に搭載されるかたちで構成されてもよい。同様に、サブ基板３００に含まれる各機能ブロックは、いずれかがサブ基板３００ではなくメイン基板２００に搭載されるかたちで構成されてもよい。
【００５０】
メイン基板２００とサブ基板３００の間におけるデータの送受信はメイン基板２００からサブ基板３００への一方向となるよう一方向でのデータ送受信にて全体動作を実現するための各構成がメイン基板２００とサブ基板３００に配置される。メイン基板２００からサブ基板３００へのデータ送信の一方向性が保たれるため、サブ基板３００に含まれる構成からメイン基板２００に含まれる構成へはデータを送信することができず、データ送信の要求もできない。したがって、メイン基板２００で生成された情報は、メイン基板２００がサブ基板３００へ一方的に送信しない限りサブ基板３００から参照することはできない。
【００５１】
入球判定手段１１０は、各入賞口への遊技球の入球を判定する。入球判定手段１１０は、第１始動入賞情報を受け取ると遊技球が第１始動口２５４に入賞したと判断し、第２始動入賞情報を受け取ると遊技球が第２始動口６２に入賞したと判断し、第３始動入賞情報を受け取ると遊技球が第３始動口６３に入賞したと判断する。入球判定手段１１０は、大入賞口入賞情報を受け取ると遊技球が大入賞口９１に入賞したと判断し、一般入賞情報を受け取ると遊技球が一般入賞口７２に入賞したと判断する。入球判定手段１１０は、通過情報を受け取ると遊技球が作動口６８を通過したと判断する。
【００５２】
第１遊技制御手段１２６および第２遊技制御手段１２８は、当否抽選手段として機能する。第１遊技制御手段１２６は、第１抽選値取得手段１１２、第１当否判定手段１１３、第１図柄判定手段１６１、第１パターン決定手段１１４を含み、第１始動口２５４への入球に対応する当否抽選として第１の抽選を実行する。第１の抽選の結果は、第１特別図柄表示装置７０において第１特別図柄１９２の変動表示の形で示され、演出表示装置６０の表示領域１９４において装飾図柄１９０の変動表示の形で示される。第２遊技制御手段１２８は、第２抽選値取得手段１１５、第２当否判定手段１１７、第２図柄判定手段１６２、第２パターン決定手段１１９を含み、第２始動口６２または第３始動口６３への入球に対応する当否抽選として第２の抽選を実行する。第２の抽選の結果は、第２特別図柄表示装置７１において第２特別図柄１９３の変動表示の形で示され、演出表示装置６０の表示領域１９４において装飾図柄１９０の変動表示の形で示される。第１遊技制御手段１２６および第２遊技制御手段１２８は、図柄変動を開始するにあたり、その図柄変動に対応する抽選の結果を図柄変動の制御コマンドとともに演出決定手段１３２へ送信する。
【００５３】
メイン基板２００における制御手段は、第１始動口２５４、第２始動口６２または第３始動口６３への入球時にも事前判定処理として抽選値が当否判定におけるいずれの抽選値範囲に該当するかの事前当否判定を実行し、その判定結果を演出決定手段１３２へ送信する。事前判定処理の結果は送信バッファに一時保存された後、その抽選に対応する図柄変動表示が直ちに開始されるか否かにかかわらず演出決定手段１３２へ送信され、送信バッファから消去または後に上書きされる。そのため、サブ基板３００の側にとっては図柄変動開始の順番が巡ってくる前にあらかじめ当否結果を推測的に認識できる、いわゆる「先読み」と呼ばれる処理が実現される。なお、当否判定結果だけでなく、図柄抽選の結果や変動パターン抽選の結果等を先読みに利用してもよいし、それらの組み合わせによって先読み処理を実行してもよい。
【００５４】
第１抽選値取得手段１１２は、第１始動口２５４への入球を契機に、第１の抽選のために乱数の値を第１当否抽選値として取得する。第２抽選値取得手段１１５は、第２始動口６２または第３始動口６３への入球を契機に、第２の抽選のために乱数の値を第２当否抽選値として取得する。例えば、当否抽選のために第１当否抽選値および第２当否抽選値として取得する値は「０」から「６５５３５」までの値範囲から取得される。なお、ここでいう「乱数」は、乱数生成回路で生成する物理乱数や数学的な意味での真正乱数でなくてもよく、１６ビットカウンタを利用したハードウェア乱数や乱数生成アルゴリズムを利用したソフトウェア乱数などの疑似乱数でもよい。またはハードウェア乱数とソフトウェア乱数の組合せ、例えばカウンタが１周するたびに初期値を変更するプラス乱数方式でもよい。第１当否抽選値、第２当否抽選値として取得する値は、保留制御手段１１６により一時的に保留される。ただし、所定の保留上限数を超えない範囲で当否抽選値が保留される。
【００５５】
第１当否判定手段１１３は、第１当否抽選値に基づき、特別遊技（大当り遊技または小当り遊技）へ移行するか否かを判定する当否判定と、第１当否抽選値が当否判定におけるいずれの抽選値範囲に該当するかの事前当否判定を実行する。第２当否判定手段１１７は、第２当否抽選値に基づき、特別遊技へ移行するか否かを判定する当否判定と、第２当否抽選値が当否判定におけるいずれの抽選値範囲に該当するかの事前当否判定を実行する。メイン基板２００における制御手段は、当否判定で参照する当否判定テーブルと事前当否判定テーブルを保持する。なお、図柄変動を開始するにあたって実行する当否判定を、特に事前当否判定と区別するために、適宜「本判定としての当否判定」とも呼ぶ。なお、本明細書において「テーブル」や「選択基準」というときは、厳密に抽選値などの第１のパラメータと、選択肢を示す値などの第２のパラメータとの対応関係をテーブル構造で定めたデータを指すだけでなく、そのような対応関係として第１のパラメータから第２のパラメータを導出するプログラム構造で実現する場合も広く含むものとする。それらを含めて実質的に「テーブル」と同義の概念として適宜「選択基準」と称する。また、テーブル構造を用いる場合、実質的に１種類となる選択基準を構造的に細分化された複数のテーブルの組合せで構成してもよいが、「複数種の選択基準」というときはその細分化されたテーブルの数ではなくテーブルの実質的な種類の数を示す。
【００５６】
第１当否判定手段１１３および第２当否判定手段１１７は、当否判定で参照する当否判定テーブルを複数保持する。複数の当否判定テーブルには、大当りおよび外れの判定結果と当否抽選値とが対応付けられており、対応付けられた大当りの範囲設定に応じて当否確率が定まる。第１当否判定手段１１３および第２当否判定手段１１７は、通常確率状態においては通常の当り確率による当否判定のための当否テーブルを参照し、確率変動状態においては通常確率より大当り確率が高くなる当否テーブルを参照する。第１当否判定手段１１３および第２当否判定手段１１７は、複数の当否テーブルのうちいずれかを参照し、当否抽選値が当りであるか否かを判定する。
【００５７】
図４は、当否判定テーブルを模式的に示す図である。本図の当否判定テーブルには、大当り、小当り、外れの判定結果と当否抽選値とが対応付けられており、対応付けられたそれぞれの範囲設定に応じて大当り当否確率や小当りの当否確率が定まる。第１当否判定手段１１３および第２当否判定手段１１７は、本判定として当否判定において本図の当否判定テーブルを参照する。第１当否判定手段１１３による第１当否抽選と第２当否判定手段１１７による第２当否抽選のいずれにおいても、通常時には当否抽選値が０〜２９９の範囲に該当したときのみ大当りとなる。確変時には大当りの範囲が拡大され、当否抽選値が０〜２９９の範囲に該当する場合だけでなく、３００〜２９９９の範囲に該当する場合にも大当りとなる。このように、大当りに該当する範囲は遊技状態に応じて変化する。なお、本図では単一の当否判定テーブルによって通常時と確変時の双方の大当り範囲を示したが、当否判定テーブルは通常時用と確変時用とで別個に用意してもよいし、第１当否抽選用と第２当否抽選用とで別個に用意してもよい。
【００５８】
本実施例においては、当否抽選値が大当り範囲に該当しない場合であっても、所定の範囲に該当した場合には小当りとなる。本図の例では、第１当否判定手段１１３が取得する当否抽選値が５６５００〜６５５３５の範囲に該当した場合に小当りとなり、第２当否判定手段１１７が取得する当否抽選値が６４０００〜６５５３５の範囲に該当した場合に小当りとなる。すなわち、第２当否抽選よりも第１当否抽選の方が小当りに該当する範囲が広く、小当りが発生しやすい。このように、大当りに該当しなかった場合、本来はすべて「外れ」であるが、本図の例では大当りに該当しなかった場合のうち小当りにも該当しなかった場合の当否抽選値範囲を特に「外れ」と表現している。なお、本図では大当りか否かの判定テーブルと小当りか否かの判定テーブルとを単一の当否判定テーブルの形で実現する例を示したが、それぞれを別個のテーブルとして実現してもよい。
【００５９】
図５は、事前当否判定で参照される事前当否判定テーブルを模式的に示す図である。第１の遊技に関する事前当否判定は、第１始動口２５４への入球時に図５（ａ）のテーブルを参照し、当否抽選値が「０〜２９９」の場合はその旨を示す「１」の値を判定結果としての当否範囲に設定し、当否抽選値が「３００〜２９９９」の場合はその旨を示す「２」の値を判定結果としての当否範囲に設定する。当否抽選値が「３０００〜５６４９９」の場合はその旨を示す「３」の値を判定結果としての当否範囲に設定し、当否抽選値が「５６５００〜６５５３５」の場合はその旨を示す「４」の値を判定結果としての当否範囲に設定する。以上のように当否範囲を設定するたびにその値に関する情報を第１当否抽選であることを示す値や保留の個数とともに演出決定手段１３２へ送信する。
【００６０】
第２の遊技に関する事前当否判定は、第２始動口６２および第３始動口６３への入球時に図５（ｂ）のテーブルを参照し、当否抽選値が「０〜２９９」の場合はその旨を示す「１」の値を判定結果としての当否範囲に設定し、当否抽選値が「３００〜２９９９」の場合はその旨を示す「２」の値を判定結果としての当否範囲に設定する。当否抽選値が「３０００〜６３９９９」の場合はその旨を示す「３」の値を判定結果としての当否範囲に設定し、当否抽選値が「６４０００〜６５５３５」の場合はその旨を示す「４」の値を判定結果としての当否範囲に設定する。以上のように当否範囲を設定するたびにその値に関する情報を第２当否抽選であることを示す値や保留の個数とともに演出決定手段１３２へ送信する。
【００６１】
図３に戻り、第１当否判定手段１１３および第２当否判定手段１１７による当否判定結果は、第１特別図柄表示装置７０および第２特別図柄表示装置７１において第１特別図柄１９２および第２特別図柄１９３の形で表示される。また、第１当否判定手段１１３および第２当否判定手段１１７による判定結果を演出的に示す装飾図柄が演出表示装置６０において表示される。第１遊技制御手段１２６および第２遊技制御手段１２８は、図柄変動を開始するタイミングにおいて、その図柄変動に対応する抽選の結果を図柄変動の制御コマンドとともに図柄態様決定手段１３１および演出決定手段１３２へ送信する。
【００６２】
第１図柄判定手段１６１および第２図柄判定手段１６２は、当否判定の結果と別途取得する図柄抽選値に基づいて、特別図柄の変動開始にあたってその停止図柄を決定するとともに、図柄抽選値がいずれの図柄範囲に該当するかの事前図柄判定を実行する。第１図柄判定手段１６１および第２図柄判定手段１６２は、特別図柄の停止図柄を決定するために参照する複数の図柄判定テーブルを保持しており、メイン基板２００の制御手段は、さらに、停止表示される図柄情報に応じた先読みの実施を判定するための事前図柄判定テーブルを保持する。第１図柄判定手段１６１および第２図柄判定手段１６２は、当否判定結果に応じて異なる図柄判定テーブルを参照する。なお、図柄変動を開始するにあたって実行する図柄判定を、特に事前図柄判定と区別するために、適宜「本判定としての図柄判定」とも呼ぶ。
【００６３】
図６は、図柄判定テーブルの構成例を示す。ここでは、図柄抽選値は「０」から「２５５」までの値範囲であることとする。この図柄判定テーブルには、図柄抽選値に対し、第１特別図柄１９２および第２特別図柄１９３の停止態様（停止図柄）、特別遊技のラウンド数、確変移行の有無がそれぞれ対応づけられている。図６（ａ）および（ｂ）は当否抽選の結果が大当りであった場合に参照されるテーブルであり、図６（ｃ）は当否抽選の結果が小当りであった場合に参照されるテーブルであり、図６（ｄ）は当否抽選の結果が外れであった場合に参照されるテーブルである。第１図柄判定手段１６１および第２図柄判定手段１６２は、本判定としての図柄判定において本図の図柄判定テーブルを参照する。図柄判定テーブルには、特別図柄の種類を示す「０」〜「１９」の番号と図柄抽選値との対応関係が定められている。特別図柄の種類はそれぞれ大当り、小当り、外れの当否判定結果と対応付けられており、「０」〜「１７」が大当りに対応し、「１８」が小当りに対応し、「１９」が外れに対応する。各種類には複数の特別図柄、すなわちセグメントの組合せで形成される一般に意味を持たない記号が複数割り当てられている。
【００６４】
第１図柄判定手段１６１は、第１の抽選の結果が大当りとなった場合、図６（ａ）の図柄判定テーブルを参照する。この図柄判定テーブルでは、特別図柄の種類「０」〜「８」が大当りに対応付けられている。そのうち、種類「０」は確変を伴う２Ｒ大当りを示し、図柄抽選値の範囲「０〜２７」の範囲に対応付けられる。種類「１」〜「７」は確変を伴う１５Ｒ大当りを示し、それぞれ図柄抽選値の範囲「２８〜２０４」のうち図柄ごとの異なる範囲に対応付けられる。また、種類「８」は確変を伴わない１５Ｒ大当りを示し、図柄抽選値の範囲「２０５〜２５５」の範囲に対応付けられる。このように図柄抽選値の範囲の大きさによって大当り種類ごとの選択確率が定まる。
【００６５】
第２図柄判定手段１６２は、第２の抽選の結果が大当りとなった場合、図６（ｂ）の図柄判定テーブルを参照する。この図柄判定テーブルでは、特別図柄の種類「９」〜「１７」が大当りに対応付けられている。そのうち、種類「９」〜「１６」は確変を伴う１５Ｒ大当りを示し、図柄抽選値の範囲「０〜２０４」のうち図柄ごとの異なる範囲に対応付けられる。また、種類「１７」は確変を伴わない１５Ｒ大当りを示し、図柄抽選値の範囲「２０５〜２５５」の範囲に対応付けられる。このように図柄抽選値の範囲の大きさによって大当り種類ごとの選択確率が定まる。これにより第２の抽選が大当りとなれば、第２の特別遊技の終了後にて所定の確率で確率変動状態へ移行する。
【００６６】
このように、第１の遊技と第２の遊技は確変大当りの当選確率が同じ８０％となるように設定されているが、第２の抽選においては１５Ｒ大当りのみが選択対象となっているのに対し、第１の抽選においては２Ｒ大当りが選択対象となっており、ラウンド振り分けにおいて第２の遊技のほうが優遇されている。つまり、第２の特別遊技は、遊技者にとって利益が第１の特別遊技より大きい。また、第２の特別遊技の大入賞口９１の合計開放時間は、第１の特別遊技より長い。また、特別図柄「１」〜「１７」について、すべて１５Ｒの大当りであるよう設定しているが、これは、１５Ｒ中の単位遊技中に大入賞口を長開放とするか短開放とするかの開放パターンを、単位遊技毎に定めたグループごとに特別図柄が定められているため、図柄番号として差別化されるものである。１５Ｒの大当りのうち、８Ｒや６Ｒが長開放となり遊技球の獲得が容易となる大当りを「実質８Ｒ大当り」「実質６Ｒ大当り」と表記する場合があるが、本実施例では省略している。
【００６７】
図６（ｃ）に示す通り、種類「１８」は当否判定結果が小当りの場合における全範囲の図柄抽選値に対応付けられている。図６（ｄ）に示す通り、種類「１９」は当否判定結果が外れの場合における全範囲の図柄抽選値に対応付けられている。本実施例では、小当り図柄として特別図柄「１８」のみを使用しているが、小当りに複数の制御を持たせたい場合、その他の図柄を設けて複数の図柄にて構成するようにしてもよい。その他の図柄を設けて小当りの制御を異ならせる例としては、大入賞口内に条件装置作動領域（いわゆるＶ領域）を備え、小当り遊技中に前記領域を通過させることで、大当りに昇格させる場合に、Ｖ領域を通過しやすい小当り、通過しにくい小当りを設ける場合などである。また、小当り中にＶ領域を通過することで開始される大当りの種類（ラウンド数、確変作動の有無、時短回数）を異ならせるために種類分けするために図柄を分けて設けることも考えられる。なお、本実施例においては、このような小当りから大当り遊技を開始させる、所謂２種遊技を備えた遊技機を本実施例とするものではないため、詳細な制御については省略する。
【００６８】
なお、本実施例においては、メイン基板２００における記憶領域を節約するために、事前図柄判定においても図６のテーブルが事前図柄判定テーブルとして参照される。第１図柄判定手段１６１および第２図柄判定手段１６２は、事前図柄判定の結果として特別図柄の種類を示す「０」〜「１９」の値を第１の抽選または第２の抽選であることを示す値や保留の個数とともに演出決定手段１３２へ送信する。なお、事前図柄判定テーブルとして、さらに細分化し複雑な判定を実施可能としたもの、または同様の特別遊技を実行する大当り図柄の判定範囲をまとめて簡易的にしたものを利用するようにしてもよい。
【００６９】
図３に戻り、第１パターン決定手段１１４は、第１特別図柄表示装置７０および演出表示装置６０に表示させる図柄変動の表示過程が定められた変動パターンを、別途取得するパターン抽選値に基づいて複数の変動パターンの中から決定する。第２パターン決定手段１１９は、第２特別図柄表示装置７１および演出表示装置６０に表示させる図柄変動の表示過程が定められた変動パターンを、別途取得するパターン抽選値に基づいて複数の変動パターンの中から決定する。第１パターン決定手段１１４および第２パターン決定手段１１９は、それぞれ図柄変動を開始する際に変動パターンテーブルを参照してその図柄変動の変動パターンを決定する。また、第１パターン決定手段１１４および第２パターン決定手段１１９は、パターン抽選値がいずれの変動パターン範囲に該当するかの事前パターン判定を実行する。第１パターン決定手段１１４および第２パターン決定手段１１９、メイン基板２００の制御手段は、変動開始条件を満たした際に変動パターンを決定するために参照する変動パターンテーブルと、始動口への入球時に先読み処理の実行判定のための情報生成に使用する事前パターン判定テーブルをそれぞれ保持または共有する。複数種の変動パターンは、長短様々な変動時間をもつとともに、その変動時間にて複数の図柄で構成される装飾図柄による図柄変動も実行されることを前提として規定される。各変動パターンには、その図柄変動の終了条件としてパターンごとに変動表示時間が定められており、その変動表示時間の経過時に特別図柄および装飾図柄の変動が停止される。なお、図柄変動を開始するにあたって実行する変動パターン判定を、特に事前パターン判定と区別するために、適宜「本判定としての変動パターン判定」とも呼ぶ。
【００７０】
図７は、変動パターンテーブルを模式的に示す図である。第１パターン決定手段１１４または第２パターン決定手段１１９は、当否判定結果が外れのときは図７（ａ）に示される外れ用の変動パターンを参照する。当否判定結果が１５Ｒ大当りまたは２Ｒ大当りのときは図７（ｂ）に示される１５Ｒ大当りおよび２Ｒ大当り用の変動パターンテーブルを参照する。当否判定結果が小当りのときは図７（ｃ）に示される小当り用の変動パターンテーブルを参照する。
【００７１】
図７（ａ）においては、パターン抽選値０〜１０には「スーパー１」というスーパーリーチが対応付けられ、パターン抽選値１１〜２０には「スーパー２」というスーパーリーチが対応付けられている。パターン抽選値２１〜２５５には「ノーマル１」「ノーマル２」「リーチなし」のいずれかの変動パターンが対応付けられている。このように、当否判定結果が外れの場合、スーパーリーチ、ノーマルリーチ、リーチなしのいずれも選択される可能性がある。なお、外れ用の変動パターンテーブルにおいて、特に「リーチなし」の変動パターンを選択するとき、時短状態においては通常状態よりもさらに変動時間が概ね短い変動パターンが選択されるよう異なるテーブルを参照する。また、外れ用の変動パターンテーブルは保留数ごとに参照すべき欄が異なるように規定されるが、通常状態を例とするその詳細は後述する。
【００７２】
図７（ｂ）においては、パターン抽選値０〜１２０には「スーパー１」のスーパーリーチが対応付けられ、パターン抽選値１２１〜２４０には「スーパー２」のスーパーリーチが対応付けられている。パターン抽選値２４１〜２５０には「ノーマル１」のリーチが対応付けられ、パターン抽選値２５１〜２５５には「ノーマル２」のリーチが対応付けられている。このように、当否判定結果が２Ｒ大当りまたは１５Ｒ大当りの場合はリーチ付きの変動パターンが選択される。
【００７３】
図７（ｃ）においては、パターン抽選値０〜１２２には「スーパー３」というスーパーリーチが対応付けられ、パターン抽選値１２３〜２５５には「ノーマル３」というノーマルリーチが対応付けられている。このように当否判定結果が小当りの場合は「スーパー３」または「ノーマル３」がそれぞれ約５０％の確率で選択される。
【００７４】
第１パターン決定手段１１４および第２パターン決定手段１１９は、いわゆる先読み結果として事前判定結果を演出決定手段１３２へ送信する場合は、パターン範囲番号の値（０〜９）を、第１の抽選と第２の抽選のいずれであるかを示す値や保留の個数とともに送信する。なお、図７に示す実施例では、事前パターン判定にて当否判定結果別にテーブルを有するように例示しているが、当否抽選結果に拘らず１の事前パターン判定テーブルを用いて、乱数値がおよそどの範囲に位置するかに関する情報のみを導き出すようにするとともに、サブ基板３００の制御手段側で、事前当否判定結果とともに、いかなる変動が実行されるかを判断するように制御してもよい。
【００７５】
図８は、通常遊技時の外れ用の変動パターンテーブルを詳細に示す図である。本図の変動パターンテーブル２１０においては、保留数ごとにそれぞれ変動パターンに対応付けられたパターン抽選値の範囲が異なる。具体的には、保留数が少ないほど変動時間が相対的に長い変動パターンに割り当てられたパターン抽選値の範囲が広くされており、それら変動時間の長い変動パターンが選択される確率を高めている。そのため、保留制御手段１１６による保留数が少ないほど平均的な変動時間が長くなる。したがって、保留制御手段１１６による保留数が所定数、例えば１〜４個より少なくなった場合に、変動時間の長い変動パターンの選択確率が通常より高くなり、変動時間が比較的長くなりやすい。
【００７６】
第１欄２１２には、保留制御手段１１６による当否抽選の結果保留数が１または２個の場合のパターン抽選値範囲と変動パターンとの対応関係が示される。同様に、第２欄２１４、第３欄２１６、第４欄２１８に、保留制御手段１１６による当否抽選の結果保留数がそれぞれ３または４個、５または６個、７または８個の場合のパターン抽選値範囲と変動パターンとの対応関係が示される。すなわち、第１欄２１２、第２欄２１４、第３欄２１６、第４欄２１８が保留数ごとの変動パターンテーブルを示すと考えることができる。本図では、外れのときに選択され得る複数の変動パターンを変動時間別に５種類に分類した例を説明するが、実際にはそれらの分類ごとに複数の変動演出パターンが用意されており、全体で数十種類の変動演出パターンがその分類ごとの抽選値範囲に対応付けられていることに等しい。なお、本図の第２欄２１４、第３欄２１６、第４欄２１８の各パターン抽選値範囲の割合と第１欄２１２におけるパターン抽選値範囲の割合を比較するために、第１欄２１２のパターン抽選値範囲の割合を示す破線を第２欄２１４、第３欄２１６、第４欄２１８に描いている。
【００７７】
第１範囲２２２には、抽選値が０から１０までのパターン抽選値に該当する場合の変動パターンとして、第１欄２１２、第２欄２１４、第３欄２１６、第４欄２１８のいずれにも「スーパー１」というスーパーリーチの変動パターンが対応付けられる。第２範囲２２４には、抽選値が１１から２０までのパターン抽選値に該当する場合の変動パターンとして、第１欄２１２、第２欄２１４、第３欄２１６、第４欄２１８のいずれにも「スーパー２」というスーパーリーチの変動パターンが対応付けられる。このように、抽選値が０から１０までのパターン抽選値と抽選値が１１から２０までのパターン抽選値の場合には、保留数にかかわらず同じ変動時間の変動パターンが選択される。
【００７８】
第３範囲２２６には、抽選値が２１から２５５までのパターン抽選値に該当する場合の変動パターンとして、第１欄２１２、第２欄２１４、第３欄２１６、第４欄２１８にはそれぞれノーマルリーチである「ノーマル１」「ノーマル２」と「リーチなし外れ」の３種類の変動パターンが対応付けられる。ただし、それぞれの変動パターンが対応付けられるパターン抽選値の範囲は保留数によって異なる。第１欄２１２では、「ノーマル１」「ノーマル２」「リーチなし」のそれぞれが対応付けられる抽選値範囲の大きさがそれぞれほぼ等しく、２１から２５５をほぼ３等分した範囲が対応付けられている。これに対し、第２欄２１４では、「ノーマル１」「ノーマル２」のそれぞれに対応付けられる抽選値範囲の大きさが「リーチなし」に対応付けられる抽選値範囲より小さい。また、第３欄２１６および第４欄２１８では「ノーマル１」「ノーマル２」のそれぞれに対応付けられる抽選値範囲の大きさがさらに小さくなっている。
【００７９】
「ノーマル１」「ノーマル２」の変動時間は「リーチなし外れ」の変動時間より長くてもよく、また「リーチなし外れ」のときは時短状態のように変動時間が短縮される場合もあるため、上記の第３範囲２２６の設定内容に応じて平均的な変動時間が異なることとなる。保留数が０から１、３、５、７と多くなるにつれて「ノーマル１」および「ノーマル２」のパターン抽選値範囲は小さくなり、逆に「リーチなし外れ」のパターン抽選値範囲が大きくなる。したがって、保留数が多いほど平均的な変動時間は短くなり、逆に保留数が少ないほど平均的な変動時間は長くなる。このように保留数ごとにパターン抽選値範囲と変動パターンの対応関係が異なる変動パターンテーブルを用いることにより、保留数が少なくなったときに変動時間の長い変動パターンが選択されやすくなる制御を実現することができる。
【００８０】
第３欄２１６に対応付けられた「リーチなし外れ」の変動パターンは、第１欄２１２、第２欄２１４に対応付けられた「リーチなし外れ」よりも変動時間が短い、いわゆる「短縮変動」の変動パターンである。また、第４欄２１８に対応付けられた「リーチなし外れ」の変動パターンは、第１欄２１２、第２欄２１４に対応付けられた「リーチなし外れ」よりも変動時間が短く、第３欄２１６の「短縮変動」よりもさらに変動時間が短い、いわゆる「超短縮変動」の変動パターンである。
【００８１】
図３に戻り、普図抽選手段１２９は、作動口６８を遊技球が通過したときに抽選値（以下「普図抽選値」ともいう）を取得することにより抽選を実行する。普図抽選手段１２９が参照する当否テーブルには、当りまたは外れの判定結果と普図抽選値とが対応付けられており、対応付けられた当りの範囲設定に応じて当否確率が定まる。入球容易状態では２５０／２５６程度の高確率で当たるよう設定され、作動口６８を遊技球が通過するとほぼ確実に第３始動口６３が拡開される。逆に通常状態では１／２５６程度の低確率に設定される。普図抽選手段１２９による抽選の結果は、普通図柄表示装置５９において普通図柄の形で変動表示される。普図抽選手段１２９は、普通図柄表示装置５９に表示させる普通図柄の停止図柄を決定するために参照すべき図柄範囲テーブルを保持する。その図柄範囲テーブルには普図抽選値と普通図柄の対応関係が定められており、普図抽選手段１２９は、普通図柄の停止図柄を図柄範囲テーブルを参照して決定する。
【００８２】
普図抽選手段１２９は、また、普通図柄の変動時間を決定するために参照すべき時間決定テーブルを保持し、内部状態に応じて普通図柄の変動時間を選択する。普図抽選手段１２９は、通常状態における普通図柄の変動表示において３０秒から６０秒の間で比較的長い変動時間をランダムに選択する。一方、入球容易状態においては２秒と通常状態よりも相当短い変動時間を選択する。時間決定テーブルには、このような内部状態と普通図柄の変動時間との対応関係が定められており、普図抽選手段１２９は、普通図柄の変動時間を時間決定テーブルを参照して決定する。
【００８３】
普通図柄について決定された停止図柄が所定の図柄となった場合、普通図柄が当りに該当したと判定され、その停止図柄にて普通図柄の変動表示が停止された後に開閉制御手段１２４が第３始動口６３の普通電動役物６５を所定時間拡開する。普通図柄の抽選値は、保留制御手段１１６により一時的に保留される。ただし、保留制御手段１１６により保留される所定の保留上限数を超えない場合にだけ抽選値が保留される。
【００８４】
保留制御手段１１６は、特図保留手段１４４、普図保留手段１４７を含む。特図保留手段１４４は、新たに第１の抽選または第２の抽選が実行されるときにそれ以前の抽選に対応する図柄の変動が表示されている場合、新たな第１の抽選または第２の抽選に対する図柄変動の開始を保留し、その当否抽選値に対応する図柄の変動表示開始まで記憶する。第１の抽選について４個を上限に当否抽選値、図柄抽選値、パターン抽選値と、事前判定結果としての当否範囲、図柄範囲、パターン範囲の設定を記憶し、第２の抽選についても同様に記憶する。あるいは、当否抽選値とは別の記憶領域（例えば、サブ基板３００側の記憶領域）に事前判定の結果を記憶してもよい。普図保留手段１４７は、普図抽選手段１２９により取得された普図抽選値を保留球として保持する。これらの保留数がそれぞれ第１特別図柄保留表示装置２０、第２特別図柄保留表示装置２１、普通図柄保留表示装置２２の点灯数または点滅数により表される。特図保留手段１４４による保留の数は演出表示装置６０の表示領域１９４にも表示される。本実施例では、表示領域１９４に表示される特図保留手段１４４による保留は、第１の抽選および第２の抽選のいずれであるか区別して表示されるものであるが、区別を設けるか否かは適宜設定可能である。なお、特図保留手段１４４は、第１の抽選についての当否抽選値を記憶する第１保留制御手段として機能するとともに、第２の抽選についての当否抽選値を記憶する第２保留制御手段として機能する。
【００８５】
メイン表示制御手段１１８は、第１特図制御手段１４８、第２特図制御手段１５０、普図制御手段１５３を含む。第１特図制御手段１４８は、第１遊技制御手段１２６による第１の抽選の結果として決定された変動パターンにしたがい第１特別図柄１９２の変動を第１特別図柄表示装置７０に表示させる。第１特図制御手段１４８は、それ以前になされた第１の抽選または第２の抽選に対応する図柄の変動表示が終了していることを新たな図柄変動の開始条件とする。第２特図制御手段１５０は、第２遊技制御手段１２８による第２の抽選の結果として決定された変動パターンにしたがい第２特別図柄１９３の変動を第２特別図柄表示装置７１に表示させる。第２特図制御手段１５０もまた、それ以前になされた第１の抽選または第２の抽選に対応する図柄の変動表示が終了していることを新たな図柄変動の開始条件とする。
【００８６】
第１特図制御手段１４８および第２特図制御手段１５０は、第１特別図柄１９２および第２特別図柄１９３の変動表示を開始するタイミングと停止するタイミングにて、変動開始コマンドと変動停止コマンドを演出表示制御手段１３４へ送信する。変動開始コマンドを送信するとき、決定された当否判定結果、停止図柄、変動パターンのそれぞれを示す値と第１の抽選と第２の抽選のいずれであるかを示す値とを変動開始コマンドとともに演出表示制御手段１３４へ送信する。変動停止コマンドを送信するとき、あらためて停止図柄を示す値を変動停止コマンドとともに演出表示制御手段１３４へ送信する。これにより、メイン表示制御手段１１８および演出表示制御手段１３４による変動表示が同期し、連動が保たれる。普図制御手段１５３は、普図抽選手段１２９による抽選の結果を普通図柄の変動表示として普通図柄表示装置５９に表示させる。
【００８７】
特図調整手段１５２は、第１特別図柄１９２および第２特別図柄１９３のうち、一方を変動表示させる間は他方の変動表示の開始を待機させる。特図調整手段１５２は、第１特別図柄１９２の変動表示と第２特別図柄１９３の変動表示とを、第１始動口２５４と、第２始動口６２および第３始動口６３と、への入球順序にしたがって選択的に変動表示させる。例えば、第１始動口２５４、第２始動口６２、第３始動口６３の順序で入球したときは、第１特別図柄１９２、第２特別図柄１９３、第２特別図柄１９３の順序で変動表示される。この場合、特図調整手段１５２は保留制御手段１１６を監視して当否抽選値の保留順序を記憶し、どちらの特別図柄を変動させるべきかを遊技球の入球順、すなわち保留制御手段１１６における当否抽選値の保留順序にしたがって決定する。
【００８８】
なお、変形例における特図調整手段１５２は、第１始動口２５４、第２始動口６２および第３始動口６３のうちいずれに遊技球が入球したかの順序に関係なく、第２始動口６２および第３始動口６３への入球に基づく第２特別図柄１９３の変動表示を、第１始動口２５４への入球に基づく第１特別図柄１９２の変動表示より優先させてもよい。例えば、第１当否抽選値および第２当否抽選値の双方が保留されているとき、つねに第２当否抽選値を優先的に消化させ、第２特別図柄１９３を連続的に変動表示させる。これにより、第１の抽選として大当りの保留があっても、さらに第２の抽選として大当りの保留が入るまで打ち続けることで、複数回の連続的な大当りを獲得できる可能性がある。
【００８９】
別の変形例における特図調整手段１５２は、第１特別図柄１９２の変動表示と第２特別図柄１９３の変動表示とを、入球順序にかかわらず予め定められた消化順序にて表示させてもよい。例えば、第１特別図柄１９２の変動表示と第２特別図柄１９３の変動表示とを交互に表示することを優先してもよい。例えば、第１当否抽選値および第２当否抽選値の双方が保留されているとき、第１特別図柄１９２と第２特別図柄１９３とが交互に変動表示される。いずれの特別図柄を変動させるべきかが遊技球の入球順に関係なく単純に交互に入れ替わるので、遊技者は変動の順序を感覚的に把握しやすい。
【００９０】
特図調整手段１５２は、また、第１特別図柄１９２および第２特別図柄１９３のうち、一方が当り態様で停止されたときは他方の変動表示の開始を待機させる。この場合、特別遊技を実行する間は特別図柄の変動表示は開始されないので、遊技者は特別遊技に集中することができる。
【００９１】
特別遊技制御手段１２０は、第１遊技制御手段１２６による第１の抽選が特別遊技への移行を示す結果となった場合、第１特別図柄１９２が所定の大当り態様で停止されたときに特別遊技作動条件が成立したと判定し、大入賞口９１を開放させることにより特別遊技を実行する。その場合の特別遊技は、遊技者が獲得できる利益の大きさが異なる複数種の特別遊技のうち、所定の確率で相対的に利益の小さい２Ｒ大当りとなる。同様に、特別遊技制御手段１２０は、第２遊技制御手段１２８による第２の抽選が特別遊技への移行を示す結果となった場合、第２特別図柄１９３が所定の大当り態様で停止されたときに特別遊技作動条件が成立したと判定し、大入賞口９１を開放させることにより特別遊技を実行する。その場合の特別遊技は、１００％の確率で相対的に利益の大きい１５Ｒ大当りとなる。
【００９２】
特別遊技は、大入賞口９１の開閉動作を複数回連続して継続する遊技であり、１回の開閉を単位とした複数回の単位遊技で構成される。特別遊技には、単位遊技を１５回繰り返す１５Ｒ大当りと、１５Ｒ大当りより開放時間が短い単位遊技を２回だけ繰り返す２Ｒ大当りがある。１５Ｒ大当りにおいては、１回の単位遊技において大入賞口９１を原則として約３０秒間開放させる。２Ｒ大当りにおいては、１回の単位遊技において大入賞口９１を約０．５秒間だけ開放させる。特別遊技制御手段１２０は、単位遊技の設定ラウンド数を消化したときに特別遊技を終了させる。なお、２Ｒ大当りとなった場合においても、所定の条件を満たした場合には、１５Ｒ大当りと同様の開放態様で大入賞口９１を開放させてもよい。なお、第１の抽選による１５Ｒ大当りは、１５ラウンドのうちのいくつかのラウンドにおいて大入賞口９１の開放態様が短開放となる単位遊技が実行され、実質的に出玉を獲得できる単位遊技数が８ラウンドである大当りが含まれていてもよい。
【００９３】
このように、特別遊技制御手段１２０が、遊技者が獲得できる利益の大きさ、すなわち出玉量の多さが異なる複数種の特別遊技のうちいずれの特別遊技を実行するかは、その当りが第２始動口６２または第３始動口６３と、第１始動口２５４とのいずれへの入球を契機としたかで異なる。その結果、第２始動口６２または第３始動口６３への入球を契機とした当りであれば第１始動口２５４への入球を契機とした当りよりも高い確率で相対的に利益の大きい通常特別遊技を実行することとなる。逆に、その当りが第１始動口２５４への入球を契機とした当りであれば第２始動口６２または第３始動口６３への入球を契機とした当りよりも高い確率で相対的に利益の小さい短縮特別遊技を実行することとなる。
【００９４】
小当り遊技制御手段１２１は、第１遊技制御手段１２６による第１の抽選が小当り遊技への移行を示す結果となった場合、第１特別図柄１９２が所定の小当り態様で停止されたときに小当り遊技作動条件が成立したと判定し、大入賞口９１を開放させることにより小当り遊技を実行する。同様に、小当り遊技制御手段１２１は、第２遊技制御手段１２８による第２の抽選が小当り遊技への移行を示す結果となった場合、第２特別図柄１９３が所定の小当り態様で停止されたときに小当り遊技作動条件が成立したと判定し、大入賞口９１を開放させることにより小当り遊技を実行する。小当り遊技は１回の単位遊技で構成される。ただし、１回の単位遊技の間に大入賞口９１が２回開放される。大入賞口９１の開放時間は、１回の開放につき所定時間（例えば１．８秒）未満である。本実施例では０．２秒に設定されているため、大入賞口９１の開放態様において外観上２Ｒ特別遊技と近似したものとなる。
【００９５】
特定遊技制御手段１２２は、確変状態、時短状態、および入球容易状態における通常遊技を制御する。特定遊技制御手段１２２は、確率変動手段１５４および入球変動手段１５６を含む。入球変動手段１５６は、特別遊技の終了後に遊技状態を時短状態および入球容易状態へ移行させる。入球変動手段１５６は、特別遊技の終了後から所定の終期に達するまで時短状態および入球容易状態とする。
【００９６】
入球変動手段１５６は、通常入球状態において、大当りとなったとき大当りの種類に応じて時短状態および入球容易状態に移行させる。
【００９７】
確率変動手段１５４は、決定された特別図柄が確変への移行を伴う大当り図柄であった場合に限り、特別遊技の終了後に確変状態へ移行させる。確率変動手段１５４は、所定の遊技状態移行タイミングにおいて遊技状態を第１の遊技状態および第２の遊技状態のいずれかに移行させる遊技状態移行手段として機能する。第１の遊技状態および第２の遊技状態のいずれか一方が通常確率遊技状態であり、他方が確変遊技状態である。
【００９８】
時短状態および入球容易状態は、特別図柄の変動表示回数が特別遊技の終了時点から数えて所定の終了条件回数に達するまで継続される。すなわち、入球変動手段１５６は、特別遊技の終了後、第１特別図柄１９２および第２特別図柄１９３の変動表示回数の合計が上限回数に達することが満たされることを終了条件とする。本実施例では、終了条件回数として、第１特別図柄１９２および第２特別図柄１９３が合計で１００回変動し終わることが成立したときに時短および入球容易状態を終了させる。確率変動手段１５４は、特別遊技の終了後から所定の終期に達するまで次の当否抽選が当りとなる確率を確率変動状態とする。
【００９９】
なお、同時に確変状態へ移行した場合は確変状態が続く限り時短状態および入球容易状態も継続される仕様としてもよい。すなわち、次の大当りが発生するまで継続されてもよい。このように時短状態および入球容易状態の終期は遊技状態に応じて定まる。時短状態においては、第１特別図柄１９２および第２特別図柄１９３の変動表示時間が概ね短くなるよう、第１パターン決定手段１１４および第２パターン決定手段１１９が変動時間の短い変動パターンを選択する。ただし、通常状態においては、保留制御手段１１６による当否抽選結果の保留数に応じた変動パターンテーブルを参照し、保留制御手段１１６による保留数が少なくなるほど変動時間の長い変動パターンが出現しやすくなる。入球容易状態においては、普通図柄の時短、普通図柄の確変、第３始動口６３の開放延長が実施される。一方、確変状態は、次の大当りによる特別遊技が実行されるまで継続される。確変状態の間は第１当否判定手段１１３および第２当否判定手段１１７による当否判定結果が大当りとなる確率が高い値のまま維持される。なお、確率変動手段１５４は、確変状態または通常確率状態へ移行させるときに、遊技者に明示しない形で移行させてもよい。
【０１００】
開閉制御手段１２４は、第３始動口６３の普通電動役物６５や大入賞口９１の開閉を制御する。開閉制御手段１２４は、普通図柄が特定の態様で停止されると、普通電動役物ソレノイド７６に開放指示を送り、第３始動口６３の普通電動役物６５を開放させる。開閉制御手段１２４は、入球容易状態においては普通電動役物６５を通常状態に比べて長い時間作動させ、第３始動口６３を通常状態に比べて長い時間拡開させる開放延長を実行する。第３始動口６３の入球容易性を高め、遊技者が持ち玉を減らさずに遊技を継続できるようにするものである。開閉制御手段１２４は、特別遊技において、大入賞口ソレノイド７８に開放指示を送り、大入賞口９１を開放させる。
【０１０１】
パターン記憶手段１３０は、装飾図柄１９０の変動において演出表示装置６０に表示させる演出的な画像内容とその表示過程が定められた複数の演出パターンを保持する。演出パターンには、装飾図柄１９０の変動表示における変動開始から停止までの変動過程と演出過程が定められた複数の変動演出パターンと、装飾図柄の変動表示とは別に表示されて大当りへの期待度の高さを変動表示の停止前に予告的に示唆する複数の予告演出パターンとが含まれる。
【０１０２】
演出決定手段１３２は、第１遊技制御手段１２６から受け取る第１の抽選の結果または第２遊技制御手段１２８から受け取る第２の抽選の結果に応じて、演出表示制御手段１３４によって演出表示装置６０へ表示させる演出内容を決定する。演出決定手段１３２は、第１パターン決定手段１１４または第２パターン決定手段１１９により決定された特別図柄の変動パターンに対応する複数の変動演出パターンデータの中からいずれかを選択してパターン記憶手段１３０から読み出す。演出決定手段１３２は、読み出した変動演出パターンの情報を演出表示制御手段１３４へ送る。演出決定手段１３２は、変動演出パターンを選択するために参照すべきパターンテーブルを保持する。
【０１０３】
各変動演出パターンには、その図柄変動の終了条件としてパターンごとに変動時間が定められており、その変動時間の経過時に図柄変動が停止される。演出決定手段１３２は、特別図柄の変動パターンに応じて、変動時間が等しい演出画像の変動演出パターンを選択する。
【０１０４】
図柄態様決定手段１３１は、装飾図柄１９０の停止図柄の組合せとその配置を、第１遊技制御手段１２６または第２遊技制御手段１２８による抽選の判定結果、特別図柄の停止図柄、特別図柄の変動パターン、装飾図柄の変動演出パターンに応じて決定する。図柄態様決定手段１３１は、決定した停止図柄の組合せを示す情報を演出表示制御手段１３４へ送信する。図柄態様決定手段１３１は、装飾図柄の停止図柄を決定するために参照すべき図柄範囲テーブルを保持する。
【０１０５】
装飾図柄１９０の停止図柄は、３つの図柄の組合せとして形成され、例えば第１当否判定手段１１３および第２当否判定手段１１７による当否判定結果が１５Ｒ大当りの特別遊技への移行を示す場合には特定の組合せ、例えば「７７７」や「１１１」のように３つの図柄が揃った組合せが選択される。当否判定結果が２Ｒ大当りの場合や小当りの場合もまた特定の組合せ、例えば「３５７」のような所定の組合せが選択されるが、それらの特定の組合せは必ずしも３つの図柄が揃った組合せでなくてもよい。当否判定結果が大当りでも小当りでもない場合は、「３１２」や「９４６」のように３つの図柄が揃っていない組合せであって、２Ｒ大当りや小当りのときに選択される特定の組合せに該当しない組合せが選択される。当否判定結果が１５Ｒ大当りではない場合であって、リーチ付きの外れを示す変動パターンが選択された場合は、「１９１」や「７２７」のように一つだけ図柄が揃っていない組合せを選択する。
【０１０６】
装飾図柄の変動パターンには、装飾図柄の変動表示態様、すなわち装飾図柄の変動開始から変動停止までの演出過程が定義される。変動パターンには、通常の外れ図柄を表示するときのパターンと、あと一つ図柄が揃えば大当りとなるリーチ状態を経て外れ図柄を表示するときのパターンと、リーチ状態を経て大当り図柄を表示するときのパターンが含まれる。特に、リーチ状態を経るときのパターンとしては、長短様々な変動時間をもつパターンが含まれる。各変動パターンには、その図柄変動の終了条件としてパターンごとに変動時間が定められており、その変動時間の経過時に図柄変動が停止される。演出決定手段１３２は、特別図柄の変動パターンに応じて、特別図柄と変動時間が等しい装飾図柄の変動パターンを選択する。
【０１０７】
予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当り態様にて停止する期待度が高いことを予告的に示唆する。例えば、キャラクタの画像を一つだけ画面に表示させるだけの通常予告演出や、多数のキャラクタの群れを画面の一端から他端へ通過させるように表示させる群予告演出がある。また、予告演出の表示過程を複数段階に分け、表示させる段階数を可変にして段階数が多いほど大当りへの期待度が高くなるように設定されるステップアップ予告演出がさらに含まれる。
【０１０８】
予告演出パターンには、装飾図柄１９０の表示態様がリーチ状態となった後のタイミングで演出が実行されて図柄の最終的な停止態様を予告するパターンと、装飾図柄１９０が一つも停止していないタイミングで演出が実行されてリーチ状態となることを同時に予告するパターンとがある。
【０１０９】
演出決定手段１３２は、メイン基板２００における当否抽選の結果および変動パターン抽選の結果に応じて演出表示装置６０に予告演出を表示させるか否かを所定の予告抽選により決定するとともに、表示させるべき予告演出パターンを決定する。演出決定手段１３２は、予告演出を表示させるか否かを決定するために参照すべき予告決定テーブルと、予告演出パターンの種類を選択するときに参照すべき予告種類テーブルとを保持する。予告決定テーブルは、当否抽選の結果に応じて異なる欄が参照されるように設定されており、当否抽選が当りの場合は外れの場合よりも高い確率で予告演出を表示させるよう、当否抽選の結果と予告演出を表示するか否かの対応関係が定められる。これにより、予告演出が表示されること自体で大当りへの期待度の高さを示唆することができる。
【０１１０】
演出表示制御手段１３４は、演出決定手段１３２により決定された演出内容を演出表示装置６０に表示させる。演出表示制御手段１３４は、選択された変動演出パターンデータにしたがって演出表示装置６０へ装飾図柄１９０を含む演出画像を変動表示させる。演出表示制御手段１３４は、装飾図柄１９０の変動開始コマンドを受け取ったことを新たな装飾図柄の変動表示の開始条件とする。
【０１１１】
演出表示制御手段１３４は、予告演出を表示させる旨が演出決定手段１３２により決定された場合、選択された予告演出パターンにしたがった予告演出を図柄変動の演出に重畳させる形で演出表示装置６０へ表示させる。演出表示制御手段１３４は、装飾ランプ９０の点灯および消灯や、スピーカ１８からの音声出力などの演出処理をさらに制御する。
【０１１２】
演出表示制御手段１３４は、確変状態および通常入球状態のいずれであるか遊技状態を示唆する演出を図柄変動の演出に重畳させる形で演出表示装置６０へ表示させる。なお、「遊技状態を示唆する」とは、遊技状態（当否抽選確率、表示中の図柄変動での大当り信頼度、保留における大当り当選の信頼度など）を明示せずにほのめかすことをいう。例えば、演出表示装置６０の背景演出は、「朝」、「昼」、「夕」、「夜」の４段階に推移し、朝から夜の順に確変状態である場合の選択確率が高くなるように構成される。背景演出「夜」は、確変状態である可能性が相対的に高いことを示唆する背景演出であり、背景演出「朝」は、通常確率状態である可能性が相対的に高いことを示唆する背景演出である。つまり、通常確率状態であれば背景演出は「朝」に切り替えられる可能性が高く、確変状態であれば背景演出は「夜」に切り替えられる可能性が高い。なお、通常確率状態であっても、演出表示制御手段１３４が背景演出を「夜」にする場合があり、確変状態であっても背景演出を「朝」にする場合がある。つまり、演出表示制御手段１３４は、少なくとも通常入球状態において、演出表示装置６０にて表示される演出内容を、通常確率状態および確変状態の遊技状態を遊技者に明示しない形で実行する。
【０１１３】
例えば、演出表示装置６０の背景演出が「夕」や「夜」である状態が多ければ、遊技者は遊技状態を確変状態であると推測する。このように遊技者に、演出表示装置６０の背景演出の推移をもとに遊技状態を推測する楽しみを付与できる。
【０１１４】
演出表示制御手段１３４は、時短状態時には確変状態および通常確率状態のいずれであるか遊技状態を明示する時短用演出を演出表示装置６０へ表示させる。「遊技状態を明示する」とは、遊技者が一見していずれの遊技状態であるか理解できるように示す態様をいう。
【０１１５】
なお、演出決定手段１３２は、所定の条件を満たす場合、通常確率状態および確変状態のいずれであるか遊技状態を明示または示唆する演出内容の表示を決定し、演出表示制御手段１３４はその決定に応じた演出内容を表示する。例えば、演出決定手段１３２は、通常入球状態において、確変状態における第２の特別図柄の変動時に所定の確率で発生するレア演出として、確変状態であることを遊技者に明示または示唆する演出内容の表示を選択する。これにより、時短移行の可能性がある確変状態での第２の遊技であることを遊技者に認識させ、期待感を持たせることができる。なお、遊技状態を遊技者に明示しない形で実行する態様であっても、遊技者は第１特別図柄表示装置７０および第２特別図柄表示装置７１を見て、遊技状態を判別することは可能である。
【０１１６】
演出表示制御手段１３４は、特図調整手段１５２が記憶する当否抽選値の保留順序に従い、特図調整手段１５２が変動させる特別図柄に対応した当否抽選値に基づく図柄変動表示を開始する。例えば、特図調整手段１５２が第１特別図柄１９２を変動表示させる場合、演出表示制御手段１３４は、第１の抽選で保留された抽選値を読み出して、第１特別図柄１９２の変動を行う旨の情報をメイン基板２００より取得することで、装飾図柄１９０の変動表示を開始する。一方、特図調整手段１５２が第２特別図柄１９３を変動表示させる場合、演出表示制御手段１３４は、第２の抽選で保留された抽選値を読み出して、第２特別図柄１９３の変動を行う旨の情報をメイン基板２００より取得することで、装飾図柄１９０の変動表示を開始する。このように演出表示制御手段１３４は、装飾図柄１９０の変動表示を含む図柄変動演出を演出表示装置６０に表示させる。
【０１１７】
図９は、メイン基板２００およびサブ基板３００のハードウェア構成を概略的に示すブロック図である。メイン基板２００は、メインＣＰＵ２９０、メインＲＡＭ２９１、メインＲＯＭ２９２などの電子部品を含む。メインＲＯＭ２９２には、遊技動作全般を制御するためのメイン制御プログラムおよびデータがあらかじめ格納される。メインＲＯＭ２９２からメイン制御プログラムまたはデータがメインＲＡＭ２９１へ読み込まれ、メイン制御プログラムがメインＣＰＵ２９０によって実行される。各電子部品間は図示しないシステムバスやデータバスなどのバスで結ばれる。各入球口からの入球信号や払出制御基板１５５からの払出信号などは図示しない各種インタフェースを介してメインＣＰＵ２９０により取得される。メインＣＰＵ２９０は、図示しない各種駆動回路により各入賞口ソレノイドや第１特別図柄表示装置７０、第２特別図柄表示装置７１などの外部装置を駆動制御する。また、メインＣＰＵ２９０からサブ基板３００へは、演出制御に必要な命令が当否抽選の結果や図柄の決定結果、変動パターンの決定結果などの情報とともに送信される。メイン基板２００からサブ基板３００へは、一方向通信で信号が送信される。
【０１１８】
メイン基板２００からサブ基板３００へ送信する命令データは、いわゆるＭＯＤＥデータと呼ばれる１バイトの命令種別データと、いわゆるＥＶＥＮＴデータと呼ばれる１バイトの命令内容データとの組合せによる２バイト構成である。メイン基板２００は、命令種別データおよび命令内容データを対応付けてサブ基板３００へ送信することで一命令を送ることができる。命令種別データは、命令の種別を示すビット列であり、あらかじめ命令の種別ごとに開発段階で一意の種別コードを割り当ててある。命令内容データは、命令の内容を示すビット列である。命令種別データおよび命令内容データの最上位ビットは命令種別データと命令内容データのいずれであるかを示す識別ビットであり、最上位ビットが１のときは命令種別データであることを示し、最上位ビットが０のときは命令内容データであることを示す。
【０１１９】
メイン基板２００からサブ基板３００への通信は、１回のデータ送信につき１バイトのデータを送信する仕様のため、２バイトの命令データを送信するために１バイトずつ２回の送信が必要となる。１回目の通信で上位バイトであるＭＯＤＥデータを送信し、２回目の通信で下位バイトであるＥＶＥＮＴデータを送信する。ノイズ等の影響による通信失敗の可能性を考慮し、メイン基板２００は同じデータを連続で送信し、サブ基板３００により同じデータが２連続で読み込まれた時点でそのデータの送受信の完了を確定する。２連続で読み込まれるまではメイン基板２００は同じデータを繰り返し送信し、最大５回まで送信する。
【０１２０】
サブ基板３００は、サブＣＰＵ３１０、サブＲＡＭ３１１、サブＲＯＭ３１２、演出表示制御装置３１３、音声制御装置３１４などの電子部品を含む。サブＲＯＭ３１２は、演出過程が定義された演出パターンデータや演出表示過程が定義された表示パターンデータなどを含むサブ制御プログラムを保持するデータ格納手段の一つである。サブＲＯＭ３１２から演出パターンデータ、表示パターンデータ、音声パターンデータを含むサブ制御プログラムがサブＲＡＭ３１１へ読み込まれ、そのサブ制御プログラムによる演出制御がサブＣＰＵ３１０によって実行される。各電子部品間は図示しないシステムバスやデータバスなどのバスで結ばれる。演出ボタン１０９などの外部装置からの信号は図示しない各種インタフェースを介してサブＣＰＵ３１０により取得される。サブＣＰＵ３１０は、演出パターンデータにしたがって、演出表示制御装置３１３、音声制御装置３１４、図示しない各種駆動回路や制御回路により演出表示装置６０、スピーカ１０８、装飾ランプ９０、可動役物６６などの外部装置を駆動して表示出力、音声出力、ランプ点灯、役物動作による演出を制御する。サブＣＰＵ３１０は、表示パターンデータを演出表示制御装置３１３へ送信し、音声パターンデータを音声制御装置３１４へ送信する。なお、本実施例ではサブ基板３００が演出表示制御装置３１３および音声制御装置３１４を内包する例を説明するが、サブ基板３００と演出表示制御装置３１３および音声制御装置３１４とは基板として一体化していることを要さず、分離して互いに接続された別個の基板として形成されてもよい。
【０１２１】
図１０は、演出表示制御装置３１３のハードウェア構成を概略的に示すブロック図である。演出表示制御装置３１３は、表示ＣＰＵ３２０、表示ＲＡＭ３２２、データＲＯＭ３２４、表示制御回路３２６を含む。データＲＯＭ３２４は、演出表示に用いられる演出画像データやモーションデータなどの素材データをデータ圧縮した状態で保持するデータ格納手段の一つである。演出画像データは、当否抽選の判定結果などを示す演出オブジェクトとして変動表示や演出表示に用いられる画像であり、例えば装飾図柄変動に用いる装飾図柄のスプライト画像、予告演出に用いるスプライト画像、各種演出に用いる動画といった素材画像である。モーションデータは、各種演出に用いる画像に所定タイミングで演出的な動作を加える場合のその動作が定義されたデータである。
【０１２２】
サブＣＰＵ３１０から送られた表示パターンデータに基づいて、その表示パターンデータに指定された演出画像データやモーションデータがデータＲＯＭ３２４から表示ＲＡＭ３２２へ読み出され、その演出画像データやモーションデータを用いた演出表示が表示ＣＰＵ３２０によって実行される。その結果、表示ＣＰＵ３２０から表示制御回路３２６へ演出表示に関するコマンド、演出画像データ、モーションデータが送信され、表示制御回路３２６により表示制御がなされる。
【０１２３】
表示制御回路３２６は、デコーダ３３２、描画メモリ３３４、描画回路３３６、フレームバッファ３３８、表示回路３４０を含み、それぞれがバス３３０を介して接続される。本図のバス３３０は、便宜上、システムバス、データバス、アドレスバスなどのバスを包括的に示したものである。
【０１２４】
表示ＣＰＵ３２０から送られた演出画像データやモーションデータは描画メモリ３３４に格納され、それらのデータのうち圧縮されたデータはデコーダ３３２によって復号される。描画メモリ３３４は、演出画像データやモーションデータをデコーダ３３２により復号する場合のワークエリアとして用いられたり、描画回路３３６による描画処理や画像処理を実行する場合のワークエリアとして用いられたりするＶＲＡＭ（ＶｉｄｅｏＲＡＭ）である。
【０１２５】
描画回路３３６は、描画メモリ３３４に格納されたデータを用い、表示ＣＰＵ３２０から送られたコマンドを順に実行して表示用画像を生成し、その生成された表示用画像を動画像のフレームとしてフレームバッファ３３８に格納する。フレームバッファ３３８は、演出表示装置６０へ出力すべき動画像のフレームを一時的に格納するバッファメモリとしてのＶＲＡＭである。
【０１２６】
表示回路３４０は、フレームバッファ３３８に格納された表示用画像を格納された順に映像信号の形で演出表示装置６０へ出力する。フレームバッファ３３８は、例えば２フレーム分のメモリ領域を有し、表示回路３４０が１フレーム分のメモリ領域から表示用画像を出力する間に、描画回路３３６が次の表示用画像を生成して、もう１フレーム分のメモリ領域に格納する。
【０１２７】
なお、データＲＯＭ３２４には、表示制御回路３２６によりなされる表示制御過程が定義された「詳細表示パターンデータ」が保持されている。このとき、サブＣＰＵ３１０から送られる表示パターンデータは、演出表示過程の概要が定義される「概略表示パターンデータ」ということができる。例えば、概略表示パターンデータには、装飾図柄の変動開始および変動停止タイミングや、複数の動画像の再生順序や、再生開始および停止のタイミングなど、一連の演出表示過程の大まかな流れが定義される。一方、詳細表示パターンデータには、装飾図柄の変動表示を実現するためのスプライト画像の表示順序や、モーションデータに基づく動画像を表示するためのフレーム単位での表示処理順序など、細かな表示制御過程が定義される。
【０１２８】
演出表示制御装置３１３は、サブＣＰＵ３１０から送られた「概略表示パターンデータ」に基づく表示制御をする場合、その処理に必要な「詳細表示パターンデータ」をデータＲＯＭ３２４から読み出し、双方の表示パターンデータを用いて表示処理を実行する。したがって、演出表示制御装置３１３は、「概略表示パターンデータ」および「詳細表示パターンデータ」を含む表示パターデータに基づいて表示制御処理を実行するということができる。そこで、本明細書においては、明示的に言及しない限り、サブＲＯＭ３１２に格納される「概略表示パターンデータ」とデータＲＯＭ３２４に格納される「詳細表示パターンデータ」を区別せず、単に「表示パターンデータ」という。例えば、演出制御表示手段が、データ格納手段に保持される表示パターンデータに基づき特定の処理をするという場合、この表示パターンデータには、「概略表示パターンデータ」と「詳細表示パターンデータ」を含むものとする。なお、変形例においては、表示パターンデータが、「概略表示パターンデータ」と「詳細表示パターンデータ」とに分かれておらず、双方を兼ねる表示パターンデータがサブＲＯＭ３１２またはデータＲＯＭ３２４に保持されていてもよい。
【０１２９】
本実施例では、演出表示制御装置３１３のハードウェア構成として、表示ＣＰＵ３２０、表示ＲＡＭ３２２、データＲＯＭ３２４および表示制御回路３２６が含まれる構成を示している。変形例においては、表示ＣＰＵ３２０、表示ＲＡＭ３２２、データＲＯＭ３２４および表示制御回路３２６が、それぞれ別の電子部品として構成されるのではなく、一体化されていてもよい。また、表示制御回路３２６によって実行されるとした処理が、表示ＣＰＵ３２０、表示ＲＡＭ３２２またはデータＲＯＭ３２４により実行されてもよい。例えば、演出表示制御装置３１３に含まれる表示ＣＰＵ３２０が、表示制御回路３２６に含まれるデコーダ３３２、描画回路３３６、表示回路３４０により実行されるとした処理を実行してもよい。また、演出表示制御装置３１３に含まれる表示ＲＡＭ３２２が描画メモリ３３４やフレームバッファ３３８の機能を兼ねてもよい。その他、演出表示制御装置３１３に表示制御回路３２６が含まれないハードウェア構成であってもよく、この場合、表示制御回路３２６により実行されるとした処理が、表示ＣＰＵ３２０、表示ＲＡＭ３２２またはデータＲＯＭ３２４により実行されてもよい。
【０１３０】
また、本実施例では、サブ基板３００のハードウェア構成として、サブＣＰＵ３１０、サブＲＡＭ３１１およびサブＲＯＭ３１２の他に、演出表示制御装置３１３が含まれる構成を示している。変形例においては、サブＣＰＵ３１０、サブＲＡＭ３１１、ＲＯＭ３１２および演出表示制御装置３１３が、それぞれ別の電子部品として構成されるのではなく、一体化されていてもよい。また、演出表示制御装置３１３によって実行されるとした処理が、サブＣＰＵ３１０、サブＲＡＭ３１１またはサブＲＯＭ３１２により実行されてもよい。例えば、サブＣＰＵ３１０が表示ＣＰＵ３２０の処理を実行してもよいし、サブＲＡＭ３１１が表示ＲＡＭ３２２の機能を兼ねてもよいし、サブＲＯＭ３１２がデータＲＯＭ３２４の機能を兼ねてもよい。その他、サブ基板３００に演出表示制御装置３１３が含まれないハードウェア構成であってもよく、この場合、演出表示制御装置３１３により実行されるとした処理が、サブＣＰＵ３１０、サブＲＡＭ３１１またはサブＲＯＭ３１２により実行されてもよい。
【０１３１】
図１１は、ぱちんこ遊技機におけるメイン基板２００の制御開始処理を示すフローチャートである。電源スイッチ４０が投入されると、メインＣＰＵ２９０は、スタックポインタを設定し（Ｓ１００）、メインＲＡＭ２９１へのアクセスを許可し（Ｓ１０２）、メインＣＰＵ２９０の内蔵レジスタの設定などのハードウェアに関する初期設定を実行する（Ｓ１０４）。
【０１３２】
つづいて、ＲＡＭクリアスイッチの操作状態、電源断情報フラグの値、及びメインＲＡＭ２９１に格納されているデータの状態に応じて、電源断復帰処理又はメインＲＡＭ２９１の初期化処理を実行する。具体的には、ＲＡＭクリアスイッチがＯＮされず、かつ、電源断情報フラグの値と、メインＲＡＭ２９１に格納されているデータとの双方が正常であった場合は、電源断復帰時の処理を実行する。それ以外の場合、すなわち、ＲＡＭクリアスイッチがＯＮされた場合、又は、ＲＡＭクリアスイッチがＯＮされなかった場合でも、電源断情報フラグと、メインＲＡＭ２９１に格納されているデータとのいずれかが正常でなかった場合は、メインＲＡＭ２９１の初期化処理を実行する。  
【０１３３】
メインＣＰＵ２９０は、ＲＡＭクリアスイッチの操作状態を確認し、ＲＡＭクリアスイッチがＯＮされた場合（Ｓ１０６のＹ）、メインＲＡＭ２９１を初期化する（Ｓ１１６）。ＲＡＭクリアスイッチがＯＮされなかった場合（Ｓ１０６のＮ）、メインＣＰＵ２９０は、電源断情報フラグの値を確認する（Ｓ１０８）。電源断情報フラグの値が電源断正常データと一致しなければ（Ｓ１０８のＮ）、メインＲＡＭ２９１を初期化する（Ｓ１１６）。電源断情報フラグの値が電源断正常データと一致すれば（Ｓ１０８のＹ）、メインＲＡＭ２９１に格納されているデータを検査する（Ｓ１１０）。後述するように、前回の電源断時に処理が正常に終了していれば、メインＲＡＭ２９１に格納されていたデータのチェックサムがメインＲＡＭ２９１に格納されているので、メインＣＰＵ２９０は、チェックサムを用いてメインＲＡＭ２９１のデータを検査する。メインＲＡＭ２９１に格納されているデータが正常でなければ（Ｓ１１２のＮ）、メインＲＡＭ２９１のデータを初期化する（Ｓ１１６）。メインＲＡＭに格納されているデータが正常であれば（Ｓ１１２のＹ）、電源断前の状態に復帰するための処理を実行する（Ｓ１１４）。
【０１３４】
電源断復帰処理（Ｓ１１４）において、電源投入が正常に行われたことを示す電源投入正常データを電源断情報フラグに格納し、各種エラーの初期設定及び払出制御基板１５５との通信初期設定を実行する。つづいて、電源断前の未送信分のコマンド要求をクリアし、遊技状態を示す各種情報のコマンド送信を要求する。つづいて、第１特別図柄及び第２特別図柄の作動保留球数に対応した演出コマンドを要求する。つづいて、第３始動口６３及び大入賞口９１の開放／閉鎖状態を電源断前の状態に復帰させる。つづいて、特別図柄の確率変動機能の作動状態を報知するための処理を実行する。
【０１３５】
ＲＡＭ初期化処理（Ｓ１１６）において、電源投入正常データを電源断情報フラグに格納し、メインＲＡＭ２９１の全領域を０でクリアし、メインＲＡＭ２９１の初期設定及び演出表示器の初期化を実行する。
【０１３６】
電源断復帰処理（Ｓ１１４）又はＲＡＭ初期化処理（Ｓ１１６）が終了すると、後述する割込処理を起動するためにカウント値をセットし、割込タイマの動作を開始させる（Ｓ１１８）。これにより、以降、所定の時間（例えば４ミリ秒）ごとにタイマ割込が発生し、後述する割込処理が実行される。つづいて、メインＣＰＵ２９０は、遊技機を管理するためのメイン処理を実行する（Ｓ１２０）。
【０１３７】
図１２は、図１１におけるＳ１２０のメイン処理を詳細に示すフローチャートである。メインＣＰＵ２９０は、タイマ割込をいったん禁止し（Ｓ２００）、ウォッチドッグタイマの動作を開始させ（Ｓ２０２）、電源断を監視する（Ｓ２０４）。図示しない電源電圧監視回路において電源ユニット４８から供給される電源電圧の低下が検出されると、電源電圧監視回路からメインＣＰＵ２９０に無条件割込要求信号が入力されることにより実行される電源断記憶処理において、電源断確認データが電源断確認フラグに格納される。したがって、メインＣＰＵ２９０は、電源断確認フラグの値を監視し（Ｓ２０４）、電源断確認フラグの値が電源断確認データに一致する場合は（Ｓ２０６のＹ）、電源断のための処理を実行するために、Ｓ２１２に進む。電源断確認フラグの値が電源断確認データに一致しない場合は（Ｓ２０６のＮ）、普通図柄当り初期値乱数、特別図柄当り図柄初期値乱数、及び特別図柄当りソフト初期値乱数を更新するため、初期値乱数更新処理を実行し（Ｓ２０８）、タイマ割込を許可して（Ｓ２１０）、Ｓ２００に戻る。以降、Ｓ２００〜Ｓ２１０が繰り返される。タイマ割込が禁止されている間（Ｓ２０２〜Ｓ２０８）にタイマ割込が発生した場合、Ｓ２１０においてタイマ割込が許可された後に、後述する割込処理を実行する。
【０１３８】
Ｓ２０６において電源断が検知されると（Ｓ２０６のＹ）、メインＣＰＵ２９０は、ウォッチドッグタイマをリスタートさせ（Ｓ２１２）、電源断情報フラグの内容を確認する（Ｓ２１４）。電源断情報フラグの内容が電源投入正常データと一致しない場合は（Ｓ２１４のＮ）、電源投入時のデータが正常に保存されていないと判断し、電源断異常データを電源断情報フラグに格納して（Ｓ２１６）、Ｓ２２２に進む。電源断情報フラグの内容が電源投入正常データと一致する場合は（Ｓ２１４のＹ）、電源投入時のデータが正常に保存されていると判断し、電源断正常データを電源断情報フラグに格納する（Ｓ２１８）。つづいて、次回の電源投入時に、バックアップされたメインＲＡＭ２９１のデータを検査するために、メインＲＡＭ２９１に格納されているデータのチェックサムを算出してメインＲＡＭ２９１に格納する（Ｓ２２０）。つづいて、メインＲＡＭ２９１へのアクセスを禁止して（Ｓ２２２）、電源が落ちるまでループする。
【０１３９】
図１３は、割込処理の詳細を示すフローチャートである。メイン処理（Ｓ１２０）においてタイマ割込が発生すると、メインＣＰＵ２９０は割込処理を実行する。まず、割込動作条件を設定し（Ｓ３００）、ウォッチドッグタイマをリスタートさせる（Ｓ３０２）。つづいて、遊技機を管理するため、入力処理（Ｓ３０４）、各種乱数更新処理（Ｓ３０６）、初期値更新型乱数更新処理（Ｓ３０８）、初期値乱数更新処理（Ｓ３１０）、タイマ減算処理（Ｓ３１２）、第３始動口有効期間設定処理（Ｓ３１４）、入賞監視処理（Ｓ３１６）、賞球制御処理（Ｓ３１８）、普通図柄作動ゲート監視処理（Ｓ３２０）、普通図柄制御処理（Ｓ３２２）、普通図柄変動開始監視処理（Ｓ３２４）、始動口監視制御処理（Ｓ３２６）、特別図柄制御処理（Ｓ３２８）、特別電動役物制御処理（Ｓ３３０）、大入賞口有効期間設定処理（Ｓ３３２）、特別図柄変動開始監視制御処理（Ｓ３３４）、異常検知処理（Ｓ３３６）、入球通過時間異常検出処理（Ｓ３３８）、遊技状態表示処理（Ｓ３４０）、ハンドル状態信号検査処理（Ｓ３４２）、ＬＥＤ出力処理（Ｓ３４４）、発射制御信号出力処理（Ｓ３４６）、試験信号出力処理（Ｓ３４８）、ソレノイド出力処理（Ｓ３５０）、演出制御コマンド送信処理（Ｓ３５２）、外部情報出力処理（Ｓ３５４）を順に実行し、次回のタイマ割込を許可して（Ｓ３５６）、リターンする。
【０１４０】
入力処理（Ｓ３０４）において、遊技盤面に取り付けられているスイッチ、断線短絡電源異常検知信号、扉・枠の開放信号、磁気検知信号、電波検知信号、及びタッチ状態信号の入力ポートのデータを監視し、入力状態を示すデータを作成してメインＲＡＭ２９１に格納する。なお、この入力状態を示すデータは、レベルデータ（今回の割込時における入力ポートのデータ）と、立ち上がりデータまたは立ち下がりデータ（今回の割込時における入力ポートのデータと前回の割込時における入力ポートのデータを排他的論理和で比較して切り替わりが見られたスイッチを示すデータ）である。
【０１４１】
各種乱数更新処理（Ｓ３０６）において、普通図柄変動パターン乱数及び変動パターン乱数を更新する。普通図柄変動パターン乱数をメインＲＡＭ２９１から読み出し、値が所定の最大値未満である場合は値をインクリメントして格納し、値が所定の最大値以上である場合は０を格納する。また、変動パターン乱数をメインＲＡＭ２９１から読み出し、値から所定値を減算した結果が０以上である場合は減算結果を格納し、０未満である場合は所定の最大値を格納する。これにより、普通図柄変動パターン乱数及び変動パターン乱数は、タイマ割込が発生する時間ごとに更新される。
【０１４２】
初期値更新型乱数更新処理（Ｓ３０８）において、普通図柄当り乱数、特別図柄当り図柄乱数、及び特別図柄当りソフト乱数を更新する。それぞれの乱数の値、最大値、及び初期値をメインＲＡＭ２９１から読み出し、乱数の値をインクリメントする。インクリメントした結果が、最大値を超えた場合は、乱数の値を０とする。また、インクリメントした結果が、初期値に一致した場合は、初期値乱数をメインＲＡＭ２９１から読み出し、初期値を更新する。これにより、普通図柄当り乱数、特別図柄当り図柄乱数、及び特別図柄当りソフト乱数は、タイマ割込が発生する時間ごとに更新され、乱数の値が初期値に戻ると、すなわち乱数の範囲を一巡すると、新たに初期値を設定し直して乱数が生成される。
【０１４３】
初期値乱数更新処理（Ｓ３１０）において、普通図柄当り初期値乱数、特別図柄当り図柄初期値乱数、及び特別図柄当りソフト初期値乱数を更新する。メインＲＡＭ２９１の初期値乱数更新テーブルから初期値乱数を読み出し、初期値乱数の値をインクリメントする。インクリメントした結果が、上限値を超えていた場合は、初期値乱数の値を０とする。メイン処理（Ｓ１２０）における初期値乱数更新処理（Ｓ２０８）においても、同様の処理が実行される。
【０１４４】
タイマ減算処理（Ｓ３１２）において、２バイトタイマを更新する。各種制御用のタイマの値をそれぞれテーブルにしたがってメインＲＡＭ２９１から読み出し、タイマの値が０以外である場合、値を順次デクリメントして格納する。タイマの値が０である場合、タイマの更新は実行しない。
【０１４５】
第３始動口有効期間設定処理（Ｓ３１４）において、第３始動口６３の有効期間を設定する。第３始動口６３には、遊技球の入球により賞球の払い出し及び第２特別図柄に係る抽選が実行される有効期間と、遊技球が入球しても賞球の払い出し及び第２特別図柄に係る抽選が実行されない無効期間が設定される。後述するように、始動口監視制御処理（Ｓ３２６）において、第３始動口６３の無効期間には、第３始動口入賞の監視処理を実行しないので、第３始動口６３に遊技球が入球しても賞球の払い出し及び第２特別図柄に係る抽選は実行されない。第１始動口２５４、大入賞口９１、作動口６８、一般入賞口７２などに、有効期間及び無効期間が設定される場合についても同様である。普通図柄の状態が「普通電動役物作動中」である場合、第３始動口有効期間フラグに第３始動口６３が有効期間であることを示すデータを格納する。普通図柄の状態が「普通電動役物作動中」でない場合、第３始動口有効延長タイマの値が０でなければ、第３始動口有効期間フラグに第３始動口６３が有効期間であることを示すデータを格納し、第３始動口有効延長タイマの値が０であれば、第３始動口有効期間フラグに第３始動口が無効期間であることを示すデータを格納する。
【０１４６】
入賞監視処理（Ｓ３１６）において、遊技球のスイッチ通過を検査し、遊技球がスイッチを通過したとき、そのスイッチに無効期間がない、又は、現在有効期間である場合で、かつ、賞球払い出しがある場合、入賞カウンタを更新する。また、外部端子へ出力するセキュリティの出力要求の作成及びコマンドの送信を要求する。
【０１４７】
賞球制御処理（Ｓ３１８）において、払出制御基板１５５からのデータ受信の監視、払出制御基板１５５へのコマンド送信要求、払出制御基板１５５へのコマンド送信、及び払出制御基板１５５からの受信データの検査を、順に実行する。
【０１４８】
普通図柄作動ゲート監視処理（Ｓ３２０）において、遊技球の作動口６８の通過を監視し、遊技球が作動口６８を通過したと判断したとき、普通図柄変動の保留数が上限値である４未満である場合は、普通図柄の保留数を更新し、普通図柄に係る乱数をメインＲＡＭ２９１に格納する。
【０１４９】
普通図柄制御処理（Ｓ３２２）において、普通図柄の状態を監視し、普通図柄制御中と判断した場合、普通図柄表示装置５９又は普通電動役物６５に係る処理を実行する。普通図柄の状態が「普通図柄変動中」である場合、普通図柄変動中処理を実行し、「普通図柄停止図柄表示中」である場合、普通図柄停止図柄表示中処理を実行し、「普通電動役物作動中」である場合、普通電動役物作動中処理を実行し、「普通電動役物作動終了デモ中」である場合、普通電動役物作動終了デモ中処理を実行する。普通図柄変動中処理において、普通図柄の変動を行った後、変動時間を監視し、普通図柄の変動時間終了と判断した場合、普通図柄の変動停止設定を行って、普通図柄の状態を「普通図柄停止図柄表示中」に設定する。普通図柄停止図柄表示中処理において、普通図柄の停止図柄表示時間を監視し、普通図柄の停止図柄表示時間終了と判断した場合、当り判定の結果に対応した普通図柄の作動終了設定を実行する。当りの場合は、普通図柄の状態を「普通電動役物作動中」に設定し、普通電動役物作動開始時の普通電動役物開放延長機能の作動状態を保存し、普通電動役物作動開始時の普通電動役物開放延長機能の作動状態に対応した普通電動役物ソレノイド７６の作動設定を実行する。はずれの場合は、普通図柄の状態を「普通図柄変動待機中」に設定する。普通電動役物作動中処理において、遊技球の普通電動役物６５に係る入賞口の入賞を監視し、普通電動役物６５に係る入賞口の入賞数が最大入賞数に達したと判断した場合は、普通電動役物６５の作動終了設定及び第３始動口有効延長時間の設定を実行する。普通電動役物６５に係る入賞口の入賞数が最大入賞数に達していないと判断した場合は、普通電動役物６５に係る入賞口の入口の開放／閉鎖時間の監視、普通電動役物６５に係る入賞口の入口の開放／閉鎖の設定を行い、一連の普通電動役物６５の入口の開放が終了したと判断した場合は、普通電動役物６５の作動終了設定及び第３始動口有効延長時間の設定を実行する。なお、普通電動役物６５に係る入賞口の入口の開放／閉鎖時間の終了でないと判断した場合は、普通電動役物６５に係る入賞口の入口の開放／閉鎖の設定は実行しない。普通電動役物作動終了デモ中処理において、普通電動役物６５の作動終了デモ時間の監視を行い、普通電動役物６５の作動終了デモ時間終了と判断した場合、普通図柄の状態を「普通図柄変動待機中」に設定する。
【０１５０】
普通図柄変動開始監視処理（Ｓ３２４）において、普通図柄の状態を監視し、「普通図柄変動待機中」であり、かつ、普通図柄作動保留球数の値が０以外である場合、普通図柄の変動を開始させると判断する。普通図柄の変動を開始させると判断した場合、普通図柄作動保留球数をデクリメントし、当り判定、停止図柄の決定、普通図柄の変動パターン番号の設定、及び普通図柄の変動時間の設定を実行する。その後、普通図柄の状態を「普通図柄変動中」に設定し、普通図柄の状態設定、当り判定、及び変動パターン決定に使用したメインＲＡＭ２９１の領域をクリアする。
【０１５１】
始動口監視制御処理（Ｓ３２６）において、遊技球の第１始動口２５４入賞及び第３始動口６３入賞を監視する。第１特別図柄の作動保留球数が４未満であるときに遊技球の入賞を確認した場合は、内蔵乱数を取得し、取得した内蔵乱数に特別図柄当りソフト乱数の値を加算した値を、大当り判定で使用する特別図柄当り乱数としてバッファに格納する。また、特別図柄に係る乱数として、図柄乱数及び変動パターン乱数を取得して記憶する。第２特別図柄の保留を第１特別図柄の保留に優先して消化する場合は、当該入賞に係る保留の更新のみを実行するが、特別図柄の保留の消化順序が入賞順である場合は、当該入賞に係る保留の更新のほか、合計保留数の更新及び入賞順序の記憶を実行する。つづいて、始動口入賞時に記憶する乱数に対応した事前判定コマンドを要求するため、遊技機の状態を確認し、コマンド送信期間と判断した場合、当り予告演出要求、当り図柄予告演出要求、パターン予告演出要求を順に実行する。ここで、（１）当り待ち中で、かつ、普通図柄の確率変動機能が未作動中に、第１特別図柄に係る乱数を記憶する場合、（２）当り待ち中で、かつ、普通図柄の確率変動機能が未作動中に、第２特別図柄に係る乱数を記憶する場合、（３）大当り中又は小当り中に第２特別図柄に係る乱数を記憶する場合のいずれかに該当する場合に、コマンド送信期間であると判断する。つづいて、特別図柄の作動保留球数に対応した演出コマンドを要求する。これにより、特別図柄の作動保留球数が更新されたことが、サブ基板３００に通知される。以上のように、先読みにおいては、事前判定情報（事前当否判定情報、事前図柄判定情報、事前パターン判定情報）、保留球数の４つがセットとしてサブ基板３００に送信される。なお、上記の例では、メインＣＰＵ２９０において、事前判定処理のためのコマンドの送信を制御したが、別の例では、始動口への入球がある場合には一様に送信を行い、先読み可能期間であるか否かなどの各種の状況判断は、サブＣＰＵ３１０が行ってもよい。つづいて、第３始動口有効期間フラグの値を検査し、第３始動口有効期間フラグの値が第３始動口６３が有効期間であることを示すデータである場合、第１始動口入賞の場合と同様に、第３始動口入賞の監視処理を実行する。第３始動口有効期間フラグの値が第３始動口６３が無効期間であることを示すデータである場合、第３始動口入賞の監視処理は実行しない。なお、保留球数が０であったときに遊技球の入賞を確認した場合には、ここでいったん保留球数を０から１にした上で、後述する変動開始に係る制御処理が実行される。
【０１５２】
特別図柄制御処理（Ｓ３２８）において、当り待ち状態の検査を行い、特別電動役物が作動中、すなわち、大当り中又は小当り中である場合、特別図柄制御処理を終了する。特別電動役物が未作動である場合、特別図柄の状態を検査し、「特別図柄変動待機中」であれば、特別図柄制御汎用処理を終了し、「変動開始」であれば、特別図柄変動開始処理を実行し、「特別図柄変動中」であれば、特別図柄変動中処理を実行し、「特別図柄停止図柄表示中」であれば、特別図柄停止図柄表示中処理を実行する。特別図柄変動開始処理において、変動パターン乱数に基づいて特別図柄変動パターンの選択番号を取得し、特別図柄変動パターン番号に対応した変動時間を決定し、サブ基板３００に演出表示を開始させるため、変動付加図柄情報、変動パターン、及びキャラクタの情報のコマンドを要求し、特別図柄の状態を「特別図柄変動中」に設定し、特別図柄変動パターンの決定に使用した変動パターン判定領域を０でクリアする。特別図柄変動中処理において、特別図柄の変動を行った後、変動時間を監視し、特別図柄の変動時間終了と判断した場合、特別図柄の変動停止設定を行って、特別図柄の状態を「特別図柄停止図柄表示中」に設定する。特別図柄停止図柄表示中処理において、特別図柄の停止図柄表示時間を監視し、特別図柄の停止図柄表示時間終了と判断した場合、当り判定の結果に対応した特別図柄の作動終了設定を実行する。大当りの場合は、特別図柄の作動を終了させるため、特別図柄の状態を「特別図柄変動待機中」に設定し、特別電動役物が連続して作動する回数の設定を行い、特別図柄の確率変動機能、特別図柄の変動時間短縮機能、普通図柄の確率変動機能、普通図柄の変動時間短縮機能、及び普通電動役物の開放延長機能を未作動にし、遊技機の状態を大入賞口開放準備中に設定し、当り開始デモ表示時間の設定、当り開始デモ演出のコマンド要求、及び発射位置指定演出のコマンド要求を実行する。当り判定の結果が小当りである場合、特別図柄の変動時間短縮機能及び普通図柄の確率変動機能の作動終了判定を行い、変動パターン選択状態を更新し、遊技状態のコマンド要求を行い、特別図柄の作動を終了させるため、特別図柄の状態を「特別図柄変動待機中」に設定し、遊技機の状態を小当り開始デモ中に設定し、当り開始デモ表示時間の設定、当り開始デモ演出のコマンド要求、及び発射位置指定演出のコマンド要求を実行する。当り判定の結果がはずれである場合、特別図柄の変動時間短縮機能及び普通図柄の確率変動機能の作動終了判定を行い、変動パターン選択状態を更新し、遊技状態のコマンド要求を行い、特別図柄の作動を終了させるため、特別図柄の状態を「特別図柄変動待機中」に設定し、発射位置指定演出のコマンド要求を実行する。
【０１５３】
特別電動役物制御処理（Ｓ３３０）において、特別電動役物に係る処理を実行するため、条件装置及び特別電動役物の作動状態を検査し、条件装置が作動中又は特別電動役物が作動中と判断した場合、特別電動役物に係る処理を実行する。特別電動役物の作動状態に応じて、大入賞口開放準備中処理、特別電動役物作動中処理、大入賞口閉鎖中処理、大当り終了デモ中処理、小当り開始デモ中処理、小当り特電作動中処理、小当り大入賞口閉鎖中処理、小当り終了デモ中処理を実行する。
【０１５４】
大入賞口有効期間設定処理（Ｓ３３２）において、大入賞口９１の有効期間判定の結果を保存するため、大入賞口有効時間の値が０である場合は、大入賞口有効期間フラグに大入賞口無効期間データを格納し、０以外である場合は、大入賞口有効期間フラグに大入賞口有効期間データを格納する。
【０１５５】
特別図柄変動開始監視制御処理（Ｓ３３４）において、特別図柄の作動状態を監視し、特別図柄が変動開始できる状態であるか否かを判定する。特別図柄の保留球の消化順序が、第２特別図柄の優先消化である場合、（１）大当り中又は小当り中でないこと、（２）第１特別図柄が変動待機中であること、（３）第２特別図柄が変動待機中であること、（４）当該特別図柄の作動保留球数が０以外であること、の全てが満たされているときに、特別図柄が変動開始できる状態であると判定する。特別図柄の保留球の消化順序が、入賞順である場合、上記（１）〜（３）に加えて、（５）特別図柄の保留球数の合計が０以外であること、（６）当該判定が消化順序すなわち入賞順と一致すること、の全てが満たされているときに、特別図柄が変動開始できる状態であると判定する。
【０１５６】
特別図柄が変動開始できる状態であると判定された場合、当該特別図柄の作動保留球数を減算し、第１特別図柄及び第２特別図柄の保留球数に対応した演出コマンドを要求する。これにより、特別図柄の保留球数が更新されたことがサブ基板３００に通知される。
【０１５７】
つづいて、特別図柄の当り判定を実行する。当り判定において、特別図柄当り乱数により、大当り、小当り、はずれのいずれであるかが判定され、判定結果が、特別図柄判定フラグに格納される。つづいて、図柄を決定する。図柄の決定において、当り判定が大当りであった場合、特別図柄当り図柄乱数に基づいて大当り図柄が決定され、特別図柄当り図柄乱数に基づいて小当りであった場合、小当り図柄が決定され、はずれであった場合、特別図柄当り図柄乱数に基づいてはずれ図柄が決定される。
【０１５８】
当り判定の結果が大当りであった場合、図柄の決定処理において決定された当り図柄のうち同様の大当り遊技、大当り遊技後の遊技状態移行を制御する図柄の種別を示す群判定番号の値に基づいて、特別図柄の確率変動機能の作動内容を判定し、特別図柄の変動時間短縮機能の作動内容や、普通図柄の入賞容易状態を設定など、大当り終了後の遊技状態を設定する。つづいて、特別電動役物が連続して作動する回数や、大入賞口の開放時間の内容など、大当り中の設定を実行する。つづいて、当り判定の結果と、普通図柄の確率変動機能の作動状態に基づいて、大当り終了後に参照すべき変動パターンテーブルを選択することにより、変動パターン選択状態の内容を設定する。つづいて、遊技状態及び当り図柄の種別を示す群判定番号の値に基づいて選択されたテーブルを参照して、開始デモ時間及び終了デモ時間を設定する。つづいて、当り判定及び図柄決定に使用したメインＲＡＭ２９１の領域をクリアし、特別図柄の状態を「変動開始」に設定する。
【０１５９】
当り判定の結果が小当りであった場合、小当り終了後に参照すべき変動パターンテーブルを選択することにより、変動パターン選択状態の内容を設定し、開始デモ時間及び終了デモ時間を設定し、当り判定及び図柄決定に使用したメインＲＡＭ２９１の領域をクリアして、特別図柄の状態を「変動開始」に設定する。当り判定の結果がはずれであった場合、当り判定及び図柄決定に使用したメインＲＡＭ２９１の領域をクリアして、特別図柄の状態を「変動開始」に設定する。
【０１６０】
異常検知処理（Ｓ３３６）において、磁気検知信号、断線短絡電源異常検知信号、電波検知信号、扉・枠の開放信号を検査し、エラー状態に変化があった場合は、エラー状態を記憶して、サブ基板３００に遊技機のエラー状態演出の表示を要求する。エラー状態に変化がなかった場合は、エラー状態の記憶及びエラー状態演出の表示要求は実行しない。
【０１６１】
入球通過時間異常検出処理（Ｓ３３８）において、入球通過時間異常を検出するため、各スイッチレベルの連続オン時間の監視を行い、連続オン時間（例えば、スイッチがオンであるとき割込み毎にインクリメントするカウンタの値）が異常値であったと判断した場合、入球通過時間異常の設定、コマンドの送信要求、外部端子へ出力するセキュリティの出力要求の作成を順に実行する。連続オン時間が異常ではないと判断した場合は、セキュリティの出力要求の作成は実行しない。
【０１６２】
遊技状態表示処理（Ｓ３４０）において、特別電動役物が連続して作動する回数、エラー状態、普通図柄の作動保留球数、及び特別図柄の作動保留球数の表示を要求するため、それぞれの表示データを作成する。
【０１６３】
ハンドル状態信号検査処理（Ｓ３４２）において、ハンドルのタッチ状態を監視するため、ハンドル状態の検査を行い、検査の結果、ハンドル状態に変化ありと判断した場合、ハンドル状態監視タイマの減算、ハンドル状態の更新、ハンドル状態監視タイマの設定、及びハンドル状態演出のコマンド送信要求を実行する。検査の結果、ハンドル状態に変化なしと判断した場合、ハンドル状態監視タイマの設定を実行する。ハンドル状態監視タイマの値をデクリメントした結果が０以外の場合、タイマ減算中と判断して、以降の処理は実行しない。
【０１６４】
ＬＥＤ出力処理（Ｓ３４４）において、特別図柄の表示、普通図柄の表示、特別図柄の作動保留球数の表示、普通図柄の作動保留球数の表示、遊技状態の表示、特別電動役物が連続して作動する回数の表示、役物連続作動装置未作動時の特別電動役物の作動状態の表示、打ち分けの表示及びエラーの表示を実行するために、表示の初期化、表示データの取得及び出力を順に実行する。
【０１６５】
発射制御信号出力処理（Ｓ３４６）において、遊技球の発射の禁止／許可の信号を出力するため、払出制御基板１５５との通信状態及び断線短絡電源異常に対応した発射の禁止／許可の設定、及び発射の禁止／許可データの取得を行った後、発射の禁止／許可の信号の出力を実行する。
【０１６６】
試験信号出力処理（Ｓ３４８）において、試験装置に出力する信号を作成し、対応した出力ポートに出力する。
【０１６７】
ソレノイド出力処理（Ｓ３５０）において、普通電動役物ソレノイド７６及び大入賞口ソレノイド７８の出力データを出力するために、普通電動役物ソレノイド７６の出力データの取得、大入賞口ソレノイド７８の出力データの取得及び出力データの出力を実行する。それぞれのソレノイドの作動フラグ及び作動タイマを取得し、取得したソレノイド作動フラグ及びソレノイド作動タイマに対応した出力データを取得する。つづいて、ソレノイド作動タイマを更新し、出力データをソレノイド出力ポートへ出力する。
【０１６８】
演出制御コマンド送信処理（Ｓ３５２）において、サブ基板３００へ送信するコマンドの送信要求の有無を検査し、送信要求があると判断した場合、要求するコマンドデータを取得し、使用したコマンドバッファを０でクリアし、取得したコマンドデータに対応したＭＯＤＥデータの取得、ＭＯＤＥデータの出力、ＭＯＤＥデータの保持、取得したコマンドデータに対応したＥＶＥＮＴデータの取得、ＥＶＥＮＴデータの出力を順に実行する。
【０１６９】
外部情報出力処理（Ｓ３５４）において、外部端子に出力する信号を作成し、作成した信号を外部情報出力ポートに出力する。
【０１７０】
上述したメイン基板２００の動作過程において使用される乱数について、より詳細に説明する。メイン基板２００において使用される乱数には、主に、普通図柄に係る乱数として、普通図柄当り乱数、及び普通図柄変動パターン乱数があり、特別図柄に係る乱数として、特別図柄当り乱数（ハード乱数）、特別図柄当りソフト乱数、特別図柄当り図柄乱数、変動パターン乱数がある。また、初期値更新型乱数である、普通図柄当り乱数、特別図柄当り図柄乱数、及び特別図柄当りソフト乱数の初期値を与えるための乱数として、普通図柄当り初期値乱数、特別図柄当り図柄初期値乱数、及び特別図柄当りソフト初期値乱数がある。
【０１７１】
普通図柄当り乱数は、割込処理の初期値更新型乱数更新処理（Ｓ３０８）において更新され、メインＲＡＭ２９１の所定位置に格納される。普通図柄当り乱数は、割込処理の普通図柄作動ゲート監視処理（Ｓ３２０）において、遊技球が作動口６８を通過したと判断されたとき、普通図柄変動の保留数が上限値である４未満である場合に、メインＲＡＭ２９１の所定位置から取得され、メインＲＡＭ２９１の別の領域に格納される。普通図柄乱数は、普通図柄変動開始監視処理（Ｓ３２４）において、普通図柄の変動を開始させると判断されたときに、当り判定及び停止図柄の決定のために使用される。
【０１７２】
普通図柄変動パターン乱数は、例えば０〜２３２の値をとり、割込処理の各種乱数更新処理（Ｓ３０６）において更新され、メインＲＡＭ２９１の所定位置に格納される。普通図柄変動パターン乱数は、割込処理の普通図柄作動ゲート監視処理（Ｓ３２０）において、遊技球が作動口６８を通過したと判断されたとき、普通図柄変動の保留数が上限値である４未満である場合に、メインＲＡＭ２９１の所定位置から取得され、メインＲＡＭ２９１の別の領域に格納される。普通図柄変動パターン乱数は、普通図柄変動開始監視処理（Ｓ３２４）において、普通図柄の変動を開始させると判断されたときに、普通図柄の変動パターンの決定のために使用される。
【０１７３】
特別図柄当り乱数は、割込処理の始動口監視制御処理（Ｓ３２６）において、第１特別図柄又は第２特別図柄の作動保留球数が４未満であるときに遊技球の入賞を確認した場合に、内蔵乱数と特別図柄当りソフト乱数の値を取得し、両者を加算することにより生成され、メインＲＡＭ２９１の所定位置に格納される。特別図柄当り乱数は、割込処理の特別図柄変動開始監視制御処理（Ｓ３３４）において、大当り判定及び小当り判定を実行するために使用される。
【０１７４】
特別図柄当りソフト乱数は、割込処理の初期値更新型乱数更新処理（Ｓ３０８）において更新され、メインＲＡＭ２９１の所定位置に格納される。特別図柄当りソフト乱数は、始動口監視制御処理（Ｓ３２６）において、第１特別図柄又は第２特別図柄の作動保留球数が４未満であるときに遊技球の入賞を確認した場合に、メインＲＡＭ２９１の所定位置から取得され、上述したように、特別図柄当り乱数を生成するために使用される。
【０１７５】
特別図柄当り図柄乱数は、例えば０〜９９９（図６の例では０〜２５５）の値をとり、割込処理の初期値更新型乱数更新処理（Ｓ３０８）において更新され、メインＲＡＭ２９１の所定位置に格納される。特別図柄当り図柄乱数は、始動口監視制御処理（Ｓ３２６）において、第１特別図柄又は第２特別図柄の作動保留球数が４未満であるときに遊技球の入賞を確認した場合に、メインＲＡＭ２９１の所定位置から取得され、メインＲＡＭ２９１の別の領域に格納される。特別図柄当り図柄乱数は、割込処理の特別図柄変動開始監視制御処理（Ｓ３３４）において、当り判定が大当りであった場合に、大当り図柄を決定するために用いられる。
【０１７６】
変動パターン乱数は、例えば０〜４９９９９（図７の例では０〜２５５）の値をとり、割込処理の各種乱数更新処理（Ｓ３０６）において更新され、メインＲＡＭ２９１の所定位置に格納される。変動パターン乱数は、始動口監視制御処理（Ｓ３２６）において、第１特別図柄又は第２特別図柄の作動保留球数が４未満であるときに遊技球の入賞を確認した場合に、メインＲＡＭ２９１の所定位置から取得され、メインＲＡＭ２９１の別の領域に格納される。変動パターン乱数は、割込処理の特別図柄制御処理（Ｓ３２８）において、特別図柄変動パターンを決定するために用いられる。
【０１７７】
普通図柄当り初期値乱数、特別図柄当り図柄初期値乱数、及び特別図柄当りソフト初期値乱数は、それぞれ、普通図柄当り乱数、特別図柄当り図柄乱数、及び特別図柄当りソフト乱数と同じ範囲の値をとり、メイン処理（Ｓ１２０）の初期値乱数更新処理（Ｓ２０８）及び割込処理の初期値乱数更新処理（Ｓ３１０）において更新され、メインＲＡＭ２９１の所定位置に格納される。普通図柄当り初期値乱数、特別図柄当り図柄初期値乱数、及び特別図柄当りソフト初期値乱数は、初期値更新型乱数更新処理（Ｓ３０８）において、普通図柄当り乱数、特別図柄当り図柄乱数、及び特別図柄当りソフト乱数を更新するときに、それぞれの乱数の初期値として用いられる。
【０１７８】
割込処理は、タイマ割込により一定時間ごとに実行されるので、割込処理に含まれる各種乱数更新処理（Ｓ３０６）及び初期値更新型乱数更新処理（Ｓ３０８）も、一定時間ごとに実行される。すなわち、普通図柄当り乱数、普通図柄変動パターン乱数、特別図柄当り乱数、特別図柄当りソフト乱数、特別図柄当り図柄乱数、変動パターン乱数は、一定時間ごとに更新される。これに対して、メイン処理（Ｓ１２０）は、割込処理が終了してから次のタイマ割込が発生するまでの間、すなわち、タイマにより計測される一定時間から割込処理に要した時間を減じた時間だけ繰り返される。割込処理に要する時間は、遊技状態などに応じて異なるので、メイン処理（Ｓ１２０）における初期値乱数更新処理（Ｓ２０８）は、各種乱数更新処理（Ｓ３０６）や初期値更新型乱数更新処理（Ｓ３０８）と異なり、一定時間ごとに実行されるわけではない。これにより、初期値更新型乱数更新処理（Ｓ３０８）において初期値を設定する際に取得される初期値乱数を毎回ランダムにすることができる。
【０１７９】
図１４は、ぱちんこ遊技機におけるサブ基板３００の制御開始処理を示すフローチャートである。サブ基板３００の制御を開始すると、サブＣＰＵ３１０はスタックポインタを設定し（Ｓ５００）、各種の初期設定が完了するまですべての割込を禁止し（Ｓ５０２）、サブＣＰＵ３１０のレジスタ設定やポート初期化といったハードウェアに関する初期設定を実行する（Ｓ５０４）。サブＲＯＭ３１２から制御プログラムを読み出してサブＲＡＭ３１１に配置するとともに、制御プログラムにおける各種の変数のうち、初期値のある変数については初期値を設定し、初期値のない変数についてはゼロクリアのデータを設定することにより、サブＲＡＭ３１１を初期化する（Ｓ５０６）。なお、サブ基板３００における割込処理は、最優先で実行される割込処理として、電源立ち上げ時の処理と、ウォッチドッグ機能が有効な場合における各種異常発生時のリセット処理とがある。次に実行優先度の高い優先レベル７の割込処理として、メイン基板２００から受信するコマンド処理があり、その次に優先度の高い優先レベル３の割込処理として、ウォッチドッグタイマによるＣＰＵ暴走検知時のリセット処理がある。次に優先される優先レベル２の割込処理として、表示ＣＰＵ３２０との間で送受信されるコマンドに係る処理があり、最も優先度の低い優先レベル１の割込処理として、リアルタイムクロックとの通信処理やランプ、ソレノイド、モータ等の各種デバイス制御処理等がある。以上の各種処理に関する割込が仮に同時に発生した場合には、割込の種類ごとにあらかじめ設定された優先度の高いものから優先して実行される。なお、本図に示す処理は、最優先レベルの割込である電源立ち上げ時の処理および各種異常発生時のリセット処理と、優先レベル３の割込であるＣＰＵ暴走検知時のリセット処理とを含む。
【０１８０】
メイン基板２００から受信するコマンド以外の割込（優先レベル７）を禁止し（Ｓ５１０）、あらかじめ記憶された全機種用のすべてのエラー情報から当該機種で使用する各種エラー情報を設定する（Ｓ５１２）。装飾ランプ９０などのすべてのランプを消灯し（Ｓ５１４）、ウォッチドッグタイマの動作を開始し（Ｓ５１６）、メイン処理を実行する（Ｓ５１８）。通常はＳ５１８のメイン処理から本フローへ戻ることはないが、戻ったときはスリープ（小消費電力モード）へ移行する（Ｓ５２０）。
【０１８１】
図１５は、図１４におけるＳ５１８のメイン処理を詳細に示すフローチャートである。図１４のＳ５０６においてサブＲＡＭ３１１に配置された制御プログラムが正確に配置されているかを本図のメイン処理内でチェックするためにそのチェックを開始する先頭アドレスを取得し（Ｓ５３０）、以降の処理においてすべての割込を許可し（Ｓ５３２）、モータやソレノイド等のデバイスの初期化動作を実行する（Ｓ５３４）。
【０１８２】
ウォッチドッグタイマを使用する設定であればウォッチドッグタイマをクリアし（Ｓ５３６）、装飾図柄の外れの組合せがランダムの組合せになるように装飾図柄のカウンタを更新し（Ｓ５４０）、サブＣＰＵ３１０の入力ポートを監視する（Ｓ５４２）。なお、Ｓ５４０はカウンタを用いて装飾図柄の外れ図柄を決定する方式における処理であるため、外れ図柄となる全ての図柄組合せを組み込んだ抽選シートを用いて装飾図柄の外れ図柄を決定する方式の場合にはＳ５４０の処理は実行しない。その抽選シートを用いて装飾図柄の外れ図柄を決定する処理は、Ｓ５５２で後述する通りメイン基板２００から特別図柄の停止図柄を示すコマンドを受信したときに実行する。エラー状態を監視して各種エラーを検知したときはそのエラーを報知し（Ｓ５４４）、演出ボタン１０９の入力状態に応じた処理を実行し（Ｓ５４６）、予告抽選を実行する（Ｓ５４８）。なお、Ｓ５４８における予告抽選は、特に図柄変動開始直後に出現させる予告演出のコマンドをできる限り早期に演出表示制御装置３１３へ送信するため、抽選処理を１回のループで処理するのではなく複数回のループに分け、図柄変動開始直後に出現させる予告演出を先のループで抽選する。リアルタイムクロック、ランプ、モータ、ソレノイド等のデバイスに対する動作要求があればその動作を実行し（Ｓ５５０）、コマンドバッファに保存されたコマンドを解析し（Ｓ５５２）、コマンド解析直後の場合はＳ５３６の処理へ戻り（Ｓ５５４のＹ）、コマンド解析直後でないときは（Ｓ５５４のＮ）、空き時間で行えばよい低優先度の処理として抽選用ソフト乱数を更新し（Ｓ５５６）、Ｓ５３６の処理に戻る。なお、Ｓ５５２において、解析するコマンドが特別図柄の変動パターンを示す場合は装飾図柄の変動演出パターンをこのＳ５５２の処理にて決定し、解析するコマンドが特別図柄の停止図柄を示す場合は抽選シートを用いて装飾図柄の外れ図柄を決定する方式であれば装飾図柄の停止図柄をこのＳ５５２の処理にて決定する。
【０１８３】
図１６は、メイン基板２００からコマンドを受信した場合の割込処理を示すフローチャートである。メイン基板２００から受信するメインコマンドは、リセット割込やエラー割込に次いで優先度の高い優先レベル７の割込命令である。メイン基板２００から受信したデータを入力ポートへ読みに行き、２回連続で同じデータが読み込まれたときにそのデータを新たなコマンドとして確定し（Ｓ６００のＹ）、その確定したコマンドが第１コマンド（ＭＯＤＥデータ）であれば（Ｓ６０２のＹ）、その第１コマンドを一時記憶領域に保存する（Ｓ６０４）。ハード乱数を後続の処理のために取得し（Ｓ６０６）、元のルーチンに戻る。このようにメイン基板２００からメインコマンドの割込があるたびにハード乱数を取得しておくことにより、乱数の取得タイミングに周期性を生じさせず、値のランダム性を高める。Ｓ６００において読み込まれたデータが２回連続で一致しなければ（最高５回まで読み込み可能）、Ｓ６０２をスキップして元のルーチンに戻る（Ｓ６００のＮ）。
【０１８４】
Ｓ６０２において、確定したコマンドが第１コマンドではなく第２コマンドの場合は（Ｓ６０２のＮ）、第１コマンドがすでに適切に受信済みであることが確認できれば（Ｓ６０８のＹ）、コマンドバッファ（コマンドデータ用のリングバッファ）における読み取り位置であるコマンドライトポインタを取得し（Ｓ６１０）、第１コマンドと第２コマンドとをコマンドバッファに保存する（Ｓ６１２）。コマンドバッファに保存されたコマンドデータは、図１５のＳ５５２において解析される。コマンドライトポインタを更新し（Ｓ６１４）、一時記憶領域に保存させていた第１コマンドをクリアして（Ｓ６１６）、元のルーチンに戻る。Ｓ６０８において第１コマンドが受信済みでないときはＳ６１０以降をスキップして（Ｓ６０８のＮ）、元のルーチンに戻る。
【０１８５】
図１７は、演出表示制御のためのタイマ割込が発生した場合の割込処理を示すフローチャートである。このタイマ割込は、サブＣＰＵ３１０から表示ＣＰＵ３２０へ演出表示に関するコマンドを送信するための優先レベル２の割込であり、５００μｓ周期で発生する。この割込では、バッファをチェックし（Ｓ６２０）、バッファに送信用のコマンドデータがあれば（Ｓ６２２のＹ）、そのコマンドデータを読み込み（Ｓ６２４）、表示ＣＰＵ３２０へ送信する（Ｓ６２６）。なお、表示ＣＰＵ３２０へのコマンドデータの送信は、表示ＣＰＵ３２０側で正常受信された旨を示すコマンドをサブＣＰＵ３１０が表示ＣＰＵ３２０から受信するまで所定時間間隔で最大３回まで送信を試みる。送信後、バッファの読み出しアドレスの設定を更新し（Ｓ６２８）、元のルーチンに戻る。バッファに送信用のデータがなければ（Ｓ６２２のＮ）、Ｓ６２４以降をスキップして元のルーチンに戻る。
【０１８６】
図１８は、サブＣＰＵ３１０が表示ＣＰＵ３２０からコマンドを受信した場合の割込処理を示すフローチャートである。この割込もまた優先レベル２の割込である。サブＣＰＵ３１０が表示ＣＰＵ３２０から受信するコマンドは、主にサブＣＰＵ３１０から表示ＣＰＵ３２０へ送信したコマンドが正常受信された旨を示すコマンドである。表示ＣＰＵ３２０からコマンドを受信した場合、受信したコマンドデータを読み出し（Ｓ６３０）、コマンドを解析し（Ｓ６３２）、コマンドバッファに保存して（Ｓ６３４）、元のルーチンに戻る。
【０１８７】
図１９は、各種デバイス制御のためのタイマ割込が発生した場合の割込処理を示すフローチャートである。このタイマ割込は、装飾ランプ９０などのランプ制御、可動役物６６を駆動するソレノイドやモータの制御、各種タイマの管理制御のための割込であり、１ｍｓ周期で発生する。優先度が最も低い優先レベル１の割込であるため、優先レベル２以上の割込を許可し（Ｓ６４０）、演出ボタン１０９からの入力を示す信号、エラー検知を示す信号、電断を示す信号、モータやソレノイド等の制御対象デバイスへの駆動信号等を入出力するポートの入出力を処理する（Ｓ６４２）。このとき、電断を示す信号が入力された場合は直ちにバックアップ処理へ移行する。モータやソレノイド等のデバイスの制御パターンに基づくカウント処理やＳ６４２でポートにデータを書き込むためのバッファのオンオフ制御など、デバイス制御に係るデータを更新し（Ｓ６４４）、演出のタイミングを計るためのタイマを更新し（Ｓ６４６）、演出ボタン１０９の入力有効時間を管理するためのタイマを更新し（Ｓ６４８）、装飾ランプ９０の点灯切換制御や表示ＣＰＵ３２０の暴走監視制御等のためのタスク制御用カウンタを更新して１６ｍｓ周期を作成する（Ｓ６５０）。
【０１８８】
なお、装飾ランプ９０の点灯切換制御の最小単位は１６ｍｓである。画像表示制御の１フレームが１６ｍｓまたは３２ｍｓであり、その整数倍を装飾ランプ９０の点灯切換制御の最小単位としておくことで、ランプ制御と画像表示制御を同期させやすくできる。また、例えば３０秒間のエラー報知といった、比較的長時間の期間をカウントする場合に、仮に１割込（１ｍｓ）周期のカウントを用いてしまうとカウント値が必要以上に長くなってしまうが、１６ｍｓ周期のカウント値とすることによってカウント値を短くすることもできる。
【０１８９】
タスク制御には処理０〜１５までの１６種類のタスクがあり、そのうち１つのタスクが装飾ランプ９０の点灯切換制御であり、２つのタスクが表示ＣＰＵ３２０の暴走監視制御である。装飾ランプ９０の点灯切換制御は、タスク制御用カウンタのカウント値に応じて１６割込に１回実行することで１６ｍｓ周期での切換を実現する。表示ＣＰＵ３２０の暴走監視制御は、例えば処理０と処理８に割り当て、タスク制御用カウンタのカウント値が０と８のとき、すなわち８割込に１回、表示ＣＰＵ３２０からのトグル信号を監視（Ｓ６５２）することで、８ｍｓ周期での監視を実現する。
【０１９０】
なお、表示ＣＰＵ３２０からは１フレームごとにオンオフ反転するトグル信号が出力されており、このトグル信号が１６００ｍｓ連続して同じ値のまま変化しない場合に表示ＣＰＵ３２０が暴走していると判断し、サブＣＰＵ３１０から表示ＣＰＵ３２０へリセット信号を送信し、リセット信号を受信した表示ＣＰＵ３２０はリセットを実行する。表示ＣＰＵ３２０からは１フレーム（１６ｍｓまたは３２ｍｓ）周期でトグル信号を受信するため、その周期より短い８ｍｓ周期で監視する。最後に、上述のような例えば３０秒間のエラー報知といった比較的長時間のエラー報知期間を管理するタイマを減算し（Ｓ６５４）、そのタイムアウト時にエラー報知が終了する。
【０１９１】
図２０は、特別図柄変動表示の過程を示すフローチャートである。特図保留手段１４４に保留されている保留球のうち、次に消化されるのが第２当否抽選値の保留である場合（Ｓ７００のＹ）、第２当否判定手段１１７が第２当否抽選値を読み出して第２特別図柄１９３の当否を判定し（Ｓ７０２）、第２図柄判定手段１６２が第２特別図柄１９３の停止図柄を決定し（Ｓ７０４）、第２パターン決定手段１１９が第２特別図柄１９３の変動パターンを決定し（Ｓ７０６）、決定した結果とともに変動開始コマンドをサブ基板３００へ送信して第２特別図柄１９３の図柄変動を開始する（Ｓ７１６）。
【０１９２】
特図保留手段１４４に保留されている保留球のうち、次に消化されるのが第１当否抽選値の保留である場合（Ｓ７００のＮ、Ｓ７０８のＹ）、第１当否判定手段１１３が第１当否抽選値を読み出してあらためて第１特別図柄１９２の当否を判定し（Ｓ７１０）、第１図柄判定手段１６１が第１特別図柄１９２の停止図柄を決定し（Ｓ７１２）、第１パターン決定手段１１４が第１特別図柄１９２の変動パターンを決定し（Ｓ７１４）、決定した結果とともに変動開始コマンドをサブ基板３００へ送信して第１特別図柄１９２の図柄変動を開始する（Ｓ７１６）。第１当否抽選値の保留がなされていない場合はＳ７１０からＳ７２２までの処理をスキップする（Ｓ７０８のＮ）。
【０１９３】
特別図柄の図柄変動表示を処理し（Ｓ７１８）、所定の変動時間が経過して図柄表示の停止タイミングに達するまでＳ７１８を繰り返し（Ｓ７２０のＮ）、所定の変動時間が経過して図柄表示の停止タイミングに達したときは（Ｓ７２０のＹ）、変動停止コマンドをサブ基板３００へ送信して表示中の図柄変動をあらかじめ決定された停止図柄にて停止し（Ｓ７２２）、特別図柄の変動表示を終了する。
【０１９４】
図２１は、装飾図柄変動表示の過程を示すフローチャートである。サブ基板３００の演出決定手段１３２がメイン基板２００から変動開始および演出表示内容を示すコマンドを受信し（Ｓ７５０）、受信した特別図柄の停止図柄、変動パターン、当否判定結果に応じて装飾図柄の停止態様を決定し（Ｓ７５２）、変動パターンに対応する変動演出パターンを決定する（Ｓ７５４）。ここで、すでに決定されている変動演出パターンが、予告演出との重畳表示を回避すべき特定の演出内容が含まれたパターンでない場合（Ｓ７５８のＮ）、所定の予告演出を表示すべき設定を実行する（Ｓ７６４）。変動演出パターンに特定の演出内容が含まれる場合は（Ｓ７５８のＹ）、Ｓ７６４の処理をスキップする。
【０１９５】
その後、装飾図柄の変動演出表示を開始し（Ｓ７６６）、装飾図柄の変動演出表示処理と（Ｓ７６８）、予告演出の表示処理を実行し（Ｓ７７０）、メイン基板２００から変動停止コマンドを受信するまでＳ７６８とＳ７７０を繰り返し（Ｓ７７２のＮ）、変動停止コマンドを受信したときに（Ｓ７７２のＹ）、Ｓ７５２で決定された停止態様にて装飾図柄を停止表示させることで図柄変動表示を停止し（Ｓ７７４）、装飾図柄の変動演出を終了する（Ｓ７７６）。
【０１９６】
図２２は、特別遊技の過程を示すフローチャートである。まず、演出表示制御手段１３４が特別遊技の演出処理を開始し（Ｓ８００）、開閉制御手段１２４が大入賞口９１を開放する（Ｓ８０２）。所定の開放時間が経過せず（Ｓ８０４のＮ）、大入賞口９１への入球数も９球以上に達していなければＳ８０４に戻り（Ｓ８０６のＮ）、所定の開放時間が経過したか（Ｓ８０４のＹ）、開放時間が経過していないものの（Ｓ８０４のＮ）、大入賞口９１への入球数が９球以上に達した場合（Ｓ８０６のＹ）、開閉制御手段１２４が大入賞口９１を閉鎖させる（Ｓ８１０）。
【０１９７】
単位遊技が最終ラウンドに達していなければ（Ｓ８１０のＮ）、ラウンド数に１を加算してＳ８０２に戻り（Ｓ８１２）、単位遊技が最終ラウンドに達していた場合は（Ｓ８１０のＹ）、演出表示制御手段１３４は特別遊技の演出処理を終了させ（Ｓ８１４）、特別遊技制御手段１２０は特別遊技を終了させ（Ｓ８１６）、特定遊技、すなわち確変、時短、入球容易状態の実行を開始する（Ｓ８１８）。
【０１９８】
図２３は、小当り遊技の過程を示すフローチャートである。小当り遊技において、１回だけ実行される単位遊技を開始し（Ｓ８１９）、大入賞口９１を開放させ（Ｓ８２０）、所定の開放時間を経過するまで開放を継続させ（Ｓ８２２のＮ）、開放時間を経過した場合（Ｓ８２２のＹ）、大入賞口９１を閉鎖し（Ｓ８２４）、設定回数分の開閉が終了していなければ（Ｓ８２６のＮ）、開閉回数に１を加算してＳ８２０に戻り（Ｓ８２８）、設定回数分の開閉が終了していれば（Ｓ８２６のＹ）、小当り遊技を終了する。
【０１９９】
つづいて、本実施例の特徴的な構成について説明する。本実施例においては、メイン基板２００から送信される事前判定情報に基づいた保留先読み演出（保留変化演出、連続演出、特殊装飾図柄停止など）を実行可能である。保留先読み演出は、先読み演出の対象となる大当りとなる期待度の高い保留球（以下、「トリガ保留」という）よりも先に変動表示開始条件が充足される先行保留球の数や、実行される保留先読み演出の種類などに応じて、保留先読み演出の実行に係る制御が異なっている。
【０２００】
保留先読み演出は、事前判定情報に基づき、トリガ保留に対する変動表示開始条件が充足した場合における変動において、大当りとなる場合や、スーパーリーチなどのリーチ態様の変動演出パターンが実行される場合や、１回の図柄の変動表示において擬似的に複数回の図柄の変動表示が実行されるように見せる擬似連続変動パターンなどの特定の変動演出パターン群に含まれる変動演出パターンが選択される場合などの所定の条件を充足するトリガ保留が、保留制御手段に保留されていることを示唆又は報知する演出である。保留先読み演出を実行することにより、現在保留されている保留球が消化されるまでの間に、大当りとなる期待度の高い演出が実行されることが示唆又は報知されるので、遊技者の期待感を高めることができる。
【０２０１】
本実施例においては、代表的な保留先読み演出として、トリガ保留に対応する保留球画像を変化させる保留変化演出と、複数回の図柄の変動表示にわたって実行される連続演出とを実行可能である。演出決定手段１３２は、事前判定情報に基づいて、第１保留制御手段又は第２保留制御手段に保留されているトリガ保留を対象とする保留先読み演出を実行するか否かを所定のタイミングで決定する。
【０２０２】
演出決定手段１３２において、保留先読み演出として連続演出を実行すると決定した場合、当該連続演出の対象とされたトリガ保留よりも先に変動表示開始条件を充足する先行保留球が合計で所定の個数以上保留されている間、当該連続演出の実行を制限するよう設定されており、その制限内容については後述する。
【０２０３】
一方、保留先読み演出のうち保留変化演出は、保留球に対応する当否判定の結果が大当りである期待度を示唆するために、演出表示装置６０に表示される保留球画像を複数の保留球画像から一の保留球画像に変化させる演出である。保留球画像を変化させることにより、その保留球画像に対応する保留球がトリガ保留であることが遊技者に示唆又は報知されるので、その保留球に対応する図柄の変動表示が開始される前から遊技者の期待感を高めることができる。また、より高い大当りの期待度を示唆する保留球画像に変化させることにより、遊技者の期待感を更に高めることができる。本実施例においては、上述した保留先読み演出である連続演出と、演出が遊技者に視認可能となるタイミングが異なるよう制御されるが、詳細な内容は後述する。
【０２０４】
図２４は、演出表示装置６０に表示される演出画像の例を示す。演出表示装置６０の画面には、装飾図柄７０２の表示領域と、保留されている保留球に対応する保留球画像を表示するための保留球画像表示領域７１０と、変動表示中の図柄に対応する保留球画像を表示するための当該変動保留球画像表示領域７１２とが設けられる。本実施例においては、第１保留制御手段及び第２保留制御手段は、それぞれ最大で４個の抽選値を保留球として保留することができるので、保留球画像は最大で８個表示される。前述したように、本実施例においては、振分口２５２に入球した遊技球は、振分機構２５０により第１始動口２５４と第２始動口６２へ交互に振り分けられるので、振分口２５２を狙って遊技する通常遊技状態における保留球画像表示領域７１０には、概ね、第１保留制御手段に保留される第１の保留球の第１の保留球画像７２０ａと、第２保留制御手段に保留される第２の保留球の第２の保留球画像７２０ｂとが、交互に表示されることになる。
【０２０５】
演出決定手段１３２は、第１保留制御手段又は第２保留制御手段により保留されている保留球に対応する事前判定情報をメイン基板２００から取得すると、取得した事前判定情報に対応する保留球の保留球画像を決定する。本実施例においては、通常状態の通常遊技中は、原則としてデフォルトの保留球画像とするが、特定遊技中は、示唆される大当りの期待度が異なる複数の種類の画像の中から、取得した事前判定情報に対応する当否判定の結果に応じた抽選により保留球画像を決定する。保留球画像を決定するために参照される保留球画像テーブルとして、事前判定情報に対応する当否判定の結果が大当りである場合に参照されるテーブルと、外れである場合に参照されるテーブルとが設けられており、外れである場合に参照されるテーブルにおいては、示唆される大当りの期待度が低い画像が、示唆される大当りの期待度が高い画像よりも選択されやすいように抽選値の範囲が設定されており、大当りである場合に参照されるテーブルにおいては、示唆される大当りの期待度が高い画像に対応する抽選値の範囲が、外れである場合に参照されるテーブルよりも広く設定されている。
【０２０６】
演出表示制御手段１３４は、演出決定手段１３２により決定された保留球画像を、演出表示装置６０の保留球画像表示領域７１０に、所定の規則にしたがって表示する。本図の例では、入球の順に左から保留球画像が表示される。一番左に表示されている保留球画像に対応する保留球に対応する変動表示開始条件が充足されると、その保留球画像は当該変動保留球画像表示領域７１２に移動され、その他の保留球画像が１つずつ左にシフトされる。図柄の変動表示が終了すると、当該変動保留球画像表示領域７１２に表示されていた保留球画像は消去される。
【０２０７】
演出決定手段１３２は、所定のタイミングで、保留球画像を変更するか否かを決定し（保留変化抽選）、保留球画像を変更する場合、いずれの保留球画像を変更するか、いずれの種類の画像に変更するか、及びどのような内容の演出を経て保留球画像を変更するか或いはしないかなどの保留変化演出の内容を決定する。本実施例においては、保留変化演出の内容を図柄の変動表示ごとに規定した保留変化演出パターンを複数種類用意しておき、演出決定手段１３２は、メイン基板２００から事前判定情報を取得したとき、すなわち、保留球が入球したときに、その事前判定情報に対応する当否判定の結果又は変動パターンの種類などに基づいて、抽選によりトリガ保留に基づく変動が実行されるまでの演出としての保留変化演出パターンを決定する。
【０２０８】
図２５は、通常状態の通常遊技中に選択可能な保留変化演出パターンの例を示す。それぞれの保留変化演出パターンは、保留変化演出の内容を図柄の変動表示ごとに規定する。保留変化演出パターンが選択されたときに実行されていた図柄の変動表示の次に実行される図柄の変動表示を開始する直前に、保留変化演出の対象となるトリガ保留よりも先に変動表示開始条件が充足されて消化される先行保留球の合計数が７個（当該トリガ保留を合わせると８個）である場合、先行保留が１つ減って６個となり、トリガ保留が７変動後に実行されることとなる図柄の変動表示において、「７変動前」として規定された内容の保留変化演出が実行される。以降、同様に、直前の先行保留球の合計数がＮ個である場合、「Ｎ変動前」として規定された内容の保留変化演出が実行され、先行保留球の合計数が０個である場合、すなわち、当該トリガ保留に対応する図柄の変動表示において、「当該変動」として規定された内容の保留変化演出が実行される。
【０２０９】
保留球が入球したときに保留されている先行保留球の合計数が７個より少ない場合は、選択された保留変化演出パターンの途中から保留変化演出が実行される。例えば、トリガ保留が８個目の保留球として保留された場合は、決定された保留変化演出パターンにより規定された初期保留球画像を保留球画像として表示し、次回以降の図柄の変動表示において、「７変動前」から「当該変動」までの保留変化演出を実行するが、トリガ保留が５個目の保留球として保留された場合は、決定された保留変化演出パターンにより規定された初期保留球画像を保留球画像として表示し、次回以降の図柄の変動表示において、「４変動前」から「当該変動」までの保留変化演出を実行する。例として、図２５中のパターンを使用して、５個目の保留として保留変化演出の演出パターン「４」に当選したトリガ保留が生起した場合、５変動前（保留が生起したときに実行されている変動）においては、青色に保留球画像が変化する演出が実行されず、次々変動（３変動前）において、デフォルトの保留球画像から赤色に変化するよう保留変化演出が出力される。
【０２１０】
保留変化演出は、特定のトリガ保留に対応する保留球画像を変化させる演出であるから、複数のトリガ保留を対象とする保留変化演出を同時に並行して実行可能であるが、後に消化される保留球に対応する保留球画像を、先に消化される保留球に対応する保留球画像よりも先（または同時）に変化させると、先に消化される保留球に対応する保留球画像の変化に遊技者が気づかない可能性があったり、さらに大当りが期待できる保留に変化するだろうと期待したのに、別の保留が変化することで、かえって興ざめしてしまう可能性があったりする。したがって、先に消化される保留球に対応する保留球画像を変化させる保留変化演出が実行されてから、その後変化することがないことを示す後続保留の変化有効状態を示す「保留変化先読み有効」フラグを立てた後の変動において、後に消化される保留球に対応する保留球画像を変化させるよう制御する。すなわち、本図に示す保留変化演出パターンにおいて、先のトリガ保留が「保留変化先読み有効」と規定されたタイミングが到来するまでは、後続のトリガ保留を対象とした保留変化演出を実行しない。これにより、効果的な保留変化演出を実行することができる。
【０２１１】
保留変化演出を実行するか否かを決定するために参照される保留変化演出テーブルにおいては、保留球がトリガ保留となり得る変動パターン範囲である事前判定情報を含む場合に、そのトリガ保留に対応する保留球画像を変更する確率が、トリガ保留とする優先度の低い変動パターン範囲の事前判定情報を含む保留球に対応する保留球画像を変更する確率よりも高くなるように保留変化演出パターンに抽選値の範囲が割り当てられる。また、トリガ保留に対応する変動パターンの大当り期待度が高いほど、示唆される大当り期待度が高い種類の画像に保留球画像が変更される確率が高くなるように、それぞれの保留変化演出パターンに抽選値の範囲が割り当てられる。例として、トリガ保留にするべきではない、単純なはずれ変動（選択率の高いはずれ変動）に対応する変動パターン範囲の事前判定情報を含み、かつ事前当否判定情報が大当りでない保留の場合には、保留変化演出パターンの抽選テーブルの内、変化なしを示すパターン（図２５中の保留変化演出パターン「１」）が必ず選択されるよう抽選値の範囲を抽選テーブルに割り当てるようにすることで、単純なはずれに対して過度に期待感を高めさせることを防止することができる。
【０２１２】
なお、上記の例では、保留変化演出実行に係る抽選の所定のタイミングとして、保留球が入球したときに、その保留球を対象とする保留変化演出を実行するか否かを決定するための抽選を実行したが、別の例では、図柄の変動表示を開始するときに、保留されている保留球を対象として保留変化演出を実行するか否かを決定するための抽選を実行してもよい。前者を「入球時抽選」と呼び、後者を「消化時抽選」と呼ぶ。「入球時抽選」においては、新たに生起する保留のみ抽選対象としているが、「消化時抽選」においては、各保留の事前判定情報のうち、最も適切と判断されるもの、またはすべての保留がほぼ同一の条件である場合には最後に変動開始条件を満たす保留に対して抽選を実行する。
【０２１３】
連続演出は、トリガ保留球が保留されていないときに実行される通常の演出とは異なる演出であり、トリガ保留球が保留されている間に実行可能となる。連続演出は、演出表示装置６０に表示される演出であってもよいし、スピーカ１８から出力される音声を含む演出であってもよいし、装飾ランプ９０の点灯を含む演出であってもよいし、可動役物６６の動作を含む演出であってもよいし、それらの任意の組み合わせであってもよい。演出表示装置６０に表示される連続演出は、表示画面の全体に表示される演出であってもよいし、表示画面の一部のみに表示される演出であってもよいし、背景画像として表示される演出であってもよいし、カットイン画像など変動時間の一部のみに表示される演出であってもよいし、装飾図柄を用いた演出であってもよい。連続演出は、トリガ保留が保留されてからトリガ保留のひとつ前の先行保留に係る変動の終了まで、またはトリガ保留に対応する図柄の変動表示が終了されるまでの間に実行される図柄の変動表示のうちの複数回の図柄の変動表示にまたがって実行される。連続演出は、通常の演出に重畳して実行されてもよいし、通常の演出に代えて実行されてもよい。
【０２１４】
連続演出は、保留されている保留球のうちいずれがトリガ保留であるのかを明示又は示唆する態様で実行されてもよいし、明示又は示唆しない態様で実行されてもよい。前者の場合、例えば、連続演出が実行されている間、対象となるトリガ保留に対応する保留球画像又はその保留球画像の枠などの表示態様を変更することにより、いずれがトリガ保留であるのかを明示又は示唆してもよい。後者の場合、いずれの保留球がトリガ保留であるかは明示されないものの、連続演出が開始された時点で保留されている保留球の中にトリガ保留が存在することが遊技者に示唆又は報知される。後者の場合において、連続演出の実行される変動回数が多いほど、トリガ保留における大当り信頼度が高い、またはトリガ保留において大当りとなる期待度の高いリーチ演出パターンが実行されるように連続演出の実行パターンを定めることによって、連続演出の実行回数が多くなるほど期待感を高めるよう演出することが可能となる。
【０２１５】
複数の種類の連続演出を同時に実行可能であってもよく、実行される連続演出の種類や組合せによって、トリガ保留に対応する当否判定の結果が大当りである期待度が示唆されてもよい。この場合、演出決定手段１３２は、連続演出を実行すると決定すると、さらに、トリガ保留に対応する事前判定情報に基づいた抽選により、実行する連続演出の種類を決定する。実行可能な連続演出の種類ごとに、その連続演出を実行するか否かを決定してもよいが、本実施例では、複数の種類の連続演出のうち実行する演出の組合せ内容を図柄の変動表示ごとに規定した連続演出パターンを複数種類用意しておき、演出決定手段１３２は、メイン基板２００から事前判定情報を取得したとき、すなわち、保留球が入球したときに、その事前判定情報に対応する当否判定の結果又は変動パターンの種類などに基づいて、抽選により保留変化演出パターンを決定する。
【０２１６】
図２６は、通常状態の通常遊技中に選択可能な１の連続演出パターンに関する抽選テーブルの例を示す。連続演出パターンも、保留変化演出パターンと同様に、実行される連続演出の内容を図柄の変動表示ごとに規定する。連続演出パターンが選択されたときに実行されていた図柄の変動表示の次に実行される図柄の変動表示を開始する直前に、連続演出の対象となるトリガ保留よりも先に変動表示開始条件が充足されて消化される先行保留球の合計数が６個（当該トリガ保留を合わせると７個）である場合、その図柄の変動表示において、「７変動前」として規定された内容の連続演出が実行される。以降、同様に、直前の先行保留球の合計数がＮ個である場合、「Ｎ変動前」として規定された内容の連続演出が実行され、先行保留球の合計数が０個である場合、すなわち、当該トリガ保留に対応する図柄の変動表示において、「当該変動」として規定された内容の連続演出が実行される。
【０２１７】
それぞれの図柄の変動表示において実行される連続演出の内容は、複数の演出パターンを含む演出パターン群の種類で規定されている。例えば、演出パターン群「Ａ」は、演出時間の異なる複数の演出パターンを含んでおり、演出パターン群「Ａ」が指定された図柄の変動表示が実行されるとき、その図柄の変動表示の変動時間に合致した演出時間を有する演出パターンが選択される。同じ演出時間を有する演出パターンが複数ある場合は、各連続演出実行タイミングとなる変動の開始時に抽選などにより演出パターンが決定される。すなわち、連続演出パターンにしたがって実際に個々の図柄の変動表示中に実行される演出パターンは、図柄の変動表示が開始される直前に図柄の変動時間がメイン基板２００から通知されてから、通知された変動時間に応じて決定される。
【０２１８】
連続演出を実行するか否かを決定するために参照される連続演出テーブルにおいては、保留球がトリガ保留として決定する適格性（大当り期待度、高信頼度リーチ発展期待度など）が高い事前判定情報を含む保留球である場合に、そのトリガ保留を対象とした連続演出を実行する確率が、トリガ保留として適格でない事前判定情報を含む保留球（例えば選択率の高い変動パターンのはずれ変動となる保留）を対象とした連続演出を実行する確率よりも高くなるように、それぞれの連続演出パターンに抽選値の範囲が割り当てられる。また、トリガ保留に対応する変動パターンの大当り期待度が高いほど、示唆される大当り期待度が高い種類の連続演出が実行される確率が高くなるように、それぞれの連続演出パターンに抽選値の範囲が割り当てられる。
【０２１９】
本実施例においては、振分口２５２の下部に第１の遊技および第２の遊技に関する第１始動口２５４および第２始動口６２が配置され、通常遊技状態において最大８個の保留を行うことが可能である。この場合、先行保留球が７個保留されているときに入球し、８個目の保留球として保留された保留球を対象として連続演出を実行する場合、最大７回の図柄の変動表示にわたって連続演出が実行されることになる。一般的に連続演出に基づく保留先読み演出は、繰り返し回数が多いほど期待度が高く設計されているが、長期にわたって連続演出を実行した後に、トリガ保留に対応する図柄の変動表示において選択される変動パターンが、例えばノーマルリーチ変動パターンのような比較的期待度の低い変動パターンであった場合、期待度に見合わない過度な保留先読み演出であると遊技者が感じ、かえって期待感を削いでしまう可能性がある。
【０２２０】
このような課題を解決するために、本実施例においては、図２６に示すように、先行保留球の合計数が所定数、例えば５個以上である間は、連続演出の実行を制限する。すなわち、連続演出パターンにおいて、先行保留球の合計数が４個未満になるまでの「７変動前」から「５変動前」には、連続演出を実行しないことが規定される。したがって、連続演出を実行すると決定された場合に、トリガ保留の先行保留球の合計数が５個以上保留されていたとしても、連続演出を連続して実行可能な図柄の変動表示の回数は、最大で４回（当該変動中も実行する場合は５回）に制限される。すなわち、入球時抽選により、連続演出を実行することが決定されたとしても、先行保留球の合計数が４個未満になって初めて遊技者に認識される態様で連続演出が実行される。これにより、保留先読み演出が過度に長期にわたって実行されるのを防ぐことができ、適正で効果的な演出を実行することができる。
【０２２１】
第２始動口６２及び振分機構２５０が設けられない弾球遊技機においては、通常状態の通常遊技が実行される、いわゆる左打ちの間は、ほぼ第１の保留球のみが保留され、第３始動口６３が入球容易状態となる、いわゆる右打ちの間は、ほぼ第２の保留球のみが保留されるので、先行保留球の合計数が４個を超えることはほとんどなく、連続演出を連続して実行可能な図柄の変動表示の回数は概ね最大で３回（当該変動中も実行する場合は４回）となる。本実施例の技術によれば、振分機構２５０により第１始動口２５４と第２始動口６２に交互に遊技球を入球させ、最大保留球数が８個となる弾球遊技機においても、連続演出が連続して実行される回数を、そうでない弾球遊技機と同程度に抑えることができる。
【０２２２】
本図の例では、先行保留球の合計数が４個未満になるまで連続演出を実行しないように制限しているが、別の例では、連続演出の実行を制限する先行保留球の合計数は３個、５個、又は６個であってもよい。また、第１保留球及び第２保留球の最大保留数をそれぞれＮ個としたとき、Ｎ以上２Ｎ未満の整数であってもよい。また、連続演出に関する保留先読み演出では、トリガ保留となる保留が生起したタイミングで実行されている変動では、すでに変動中に出力される演出パターンが決定されているため、連続演出実行タイミングとなる変動であっても演出を出力せず、次変動から連続演出を伴う演出パターンの決定により連続演出を出力するが、例えば装飾図柄を特殊な図柄（チャンス目）に差し替える程度の演出であれば、トリガ保留が生起したタイミングが連続演出の実行タイミングであっても連続演出を出力する演出パターンに差し替えることは可能である。
【０２２３】
以上のような理由により、連続演出は、先行保留球の合計数が所定数未満になるまで実行を制限するが、前述したように、保留変化演出は、先行保留球の合計数が所定数以上であっても実行可能とする。これは、連続演出が、演出表示装置６０、スピーカ１８、装飾ランプ９０、可動役物６６などを用いた比較的派手で目立つ演出であるのに対して、保留変化演出は、演出表示装置６０の一部の狭い領域でのみ実行されるため、長期にわたって実行したとしても、遊技者の期待を削ぐほど過度な演出とはならないからである。この観点から、連続演出であっても、演出表示装置６０の一部の領域を用いた演出や、装飾ランプ９０などの一部の演出要素のみを用いた演出や、短時間のみ実行される演出など、過度な演出とはならないような特定の演出については、先行保留球の合計数にかかわらず実行可能としてもよいし、連続して連続演出を実行可能な図柄の変動表示の回数を、それ以外の演出より多くしてもよい。
【０２２４】
また、いずれの保留球を対象とした連続演出が実行されているのかを明示又は示唆せずに連続演出が実行される場合、長期にわたって連続演出を実行すると、次回の図柄の変動表示において大当りの期待度の高い演出が実行されるかもしれないとの期待感を何度も遊技者に持たせることができる反面、実際に実行された演出の期待度が低かったときに期待外れと感じてしまう程度が高くなりがちであるのに対して、保留変化演出は、トリガ保留が遊技者に明示されるので、トリガ保留に対応する図柄の変動表示において、遊技者が期待したほどの高い大当りの期待度を示唆する演出が実行されなかったとしても、何度も期待外れと感じさせてしまうわけではない。この観点から、連続演出であっても、トリガ保留がいずれであるのかを明示又は示唆する場合には、先行保留球の合計数にかかわらず実行可能としてもよいし、連続して連続演出を実行可能な図柄の変動表示の回数を、それ以外の演出より多くしてもよい。
【０２２５】
また、トリガ保留に対応する図柄の変動表示において、大当りの期待度が非常に高いことを示唆する演出が実行されれば、連続演出が長期にわたって実行されたとしても、遊技者の期待を裏切ることにはならない。この観点から、トリガ保留に対応する図柄の変動表示において選択される変動パターンが、スーパーリーチ変動パターンや擬似連続変動パターンなど、大当りの期待度がとくに高い特定の変動パターン群に含まれる変動パターンである場合には、連続演出であっても、先行保留球の合計数にかかわらず実行可能としてもよいし、連続して連続演出を実行可能な図柄の変動表示の回数を、それ以外の演出より多くしてもよい。
【０２２６】
図２７は、特定遊技中に選択可能な保留変化演出パターンの例を示す。前述したように、特定遊技中は、第３始動口６３が入球容易状態となり、振分口に入球させるよりも第３始動口６３に入球させる方が遊技球の減少を抑えながら第２特別図柄に関する抽選を受けることが容易となるので、右打ちにより第３始動口６３を狙う遊技となる。したがって、第１の保留球はほぼ保留されず、第２の保留球のみが保留されるので、先行保留球の合計数は最大でも３個となる。したがって、保留変化演出パターンにおいて、「３変動前」から「当該変動」までに実行される保留変化演出の内容が規定される。前述したように、通常状態の通常遊技中には、保留球が入球したときには同じ保留球画像が表示されるが、特定遊技中は、入球時からデフォルトの保留球画像とは異なる保留球画像を表示可能であるので、「入賞」時に表示される保留球画像の種類も規定される。この意味で、特定遊技中には、通常状態の通常遊技中とは異なり、「４変動前」から保留変化演出を実行可能であると言える。
【０２２７】
図２８は、特定遊技中に選択可能な連続演出パターンの例を示す。保留変化演出パターンと同様に、連続演出パターンにおいても、「３変動前」から「当該変動」までに実行される連続演出の内容が規定される。特定遊技中には、時短が実行されているため、トリガ保留が４個目の保留球として保留された場合、入球時に実行されている図柄の変動表示は短縮変動又は超短縮変動となっていて、変動時間が非常に短い。したがって、入球時の図柄の変動表示において連続演出を開始または差替えすることは困難であり、また、連続演出を開始したとしても演出をすべて表示できず遊技者に気づかれない可能性があるので、入球時の図柄の変動表示中、すなわち「４変動前」に実行する連続演出は規定されない。したがって、特定遊技中においても、連続演出を連続して実行可能な図柄の変動表示の回数は、保留変化演出よりも少ない。
【０２２８】
このように、連続演出を連続して実行可能な図柄の変動表示の回数は、通常状態の通常遊技中であるか特定遊技中であるかによって異なり、特定遊技中の方が少ない。より具体的には、通常状態の通常遊技中は、先行保留球の合計数が４個未満である場合（トリガ保留が４変動前となる変動以降）に連続演出を実行可能であり、特定遊技中は、先行保留球の合計数が３個未満である場合（トリガ保留が３変動前となる変動以降）に連続演出を実行可能である。これにより、時短が実施される特定遊技中においても、効果的に連続演出を実行することができる。なお、変形例においては、通常状態の通常遊技中においても、連続演出を連続して実行可能な図柄の変動表示の回数は、特定遊技中と同じ、すなわち３回とされてもよい。
【０２２９】
上記の例では、保留変化演出パターン及び連続演出パターンにおいて、先行保留球に対応する７回の図柄の変動表示と、当該トリガ保留に対応する図柄の変動表示において実行される演出の内容が規定されたが、別の例では、先行保留球の合計数に応じて、異なる複数の回数の図柄の変動表示における演出の内容が規定された複数の保留変化演出パターン及び連続演出パターンが設けられてもよい。この場合、先行保留球の合計数が所定数未満であるトリガ保留を対象として、連続演出を実行するか否かを抽選により決定し、連続演出を実行すると決定した場合は、先行保留球の合計数に応じた連続演出パターンを選択してもよい。
【０２３０】
より具体的には、入球時抽選の場合、入球したときの先行保留球の合計数が２〜４個である、すなわち、次回の図柄の変動表示が開始されるときの先行保留球の合計数が１〜３個になる場合に、その保留球を対象とした連続演出を実行するか否かを抽選し、それ以外の場合には、抽選を実行しない手法を用いる。その他の手法として、消化時抽選の場合、図柄の変動表示が開始されるときの先行保留球の合計数が１〜４個になる場合に、その保留球を対象とした連続演出を実行するか否かを抽選し、それ以外の場合には、抽選を実行しない方法や、消化時抽選の対象とする保留球を２〜５変動後の保留球の中から事前判定情報を用いて最も適切な保留を選定して抽選する手法がある。これらの手法によっても、連続演出が連続して実行される図柄の変動表示の回数を適切に制限し、効果的な保留先読み演出を実行することができる。前述したように、保留変化演出については、先行保留球の合計数に応じて演出の実行を制限しなくてもよいので、全ての保留球を対象として保留変化演出を実行するか否かを抽選してもよい。すなわち、入球したときの先行保留球の合計数が１〜７個である保留球を抽選の対象としてもよい。なお、連続演出は、２回以上の図柄の変動表示にわたって実行されることが望ましいので、入球時抽選の場合は先行保留球の合計数が２個以上、消化時抽選の場合は先行保留球の合計数が１個以上である保留球を対象として、連続演出を実行するか否かを抽選してもよい。消化時抽選の場合は、変動開始時に変動演出パターン決定の前に抽選を実行し、当選した場合に連続演出有パターンの変動演出パターンの決定がなされるため、先行保留が１となるタイミングで抽選しても連続演出を２回出力することが可能となる。
【０２３１】
（保留先読み演出の禁則処理）
特別遊技の終了後に実行されていた時短状態が終了して通常状態に移行されるときには、演出モードが変更されるので、それまでに保留されていた保留球を対象とする保留先読み演出を実行しない。すなわち、既に保留されていた保留球を対象として保留先読み演出の実行するか否かを決定するための抽選を実行せず、保留先読み演出を実行すると決定されていた場合はキャンセルする。既に保留されていた保留球が全て消化されてから、保留先読み演出が実行される。また、時短状態が終了する直前の所定回数の図柄の変動表示においても、保留先読み演出を実行しない。
【０２３２】
同様に、特別遊技の終了後に特定遊技が実行されるとき、それまでに保留されていた保留球を対象とする保留先読み演出を実行しない。既に保留されていた保留球を対象として保留先読み演出の実行するか否かを決定するための抽選を実行せず、保留先読み演出を実行すると決定されていた場合はキャンセルする。これは、本実施例において通常遊技状態の大半が８個の保留（第１特別図柄、第２特別図柄を交互に消化）する遊技を想定しており、特定遊技状態の大半が４個の保留（第２特別図柄のみを消化）する遊技を想定して設計され、特定遊技状態においては保留球表示が第２特別図柄の保留４個のみを表示する形式に変更され、第１特別図柄に関する保留が残った状態（初当り後の特定遊技）において、第２特別図柄の消化タイミングが見た目上ずれるため、遊技者に違和感を与えることを防止するためである。既に保留されていた保留球が全て消化されてからは、保留先読み演出が実行される。また、特別遊技の終了後の限定的な期間において、特殊な変動パターンテーブルが参照される場合、その限定的な期間には特殊な演出が実行されるので、限定的な期間が終了するまで保留先読み演出を実行しない。
【０２３３】
通常状態の通常遊技中においても、特定遊技中においても、入球したトリガ保留球の先行保留球の中にリーチ変動等大当りが期待される変動パターンが実行される保留球が保留されている場合には、そのトリガ保留球を対象とした保留先読み演出中に、先行する保留に対応する図柄の変動表示においてリーチ演出や擬似連続変動演出などが発生することになり、重複して実行すると互いの演出効果が薄れる可能性があるので、そのトリガ保留球を対象とした保留先読み演出の実行を禁止してもよい。
【０２３４】
通常状態の通常遊技中に、入球した保留球を対象とした保留先読み演出を実行すると決定した場合に、その保留球の先行保留球のうちのいずれかを対象とした保留先読み演出を実行すると決定されていた場合は、先行する保留先読み演出が終了するまで、すなわち、先行する保留先読み演出の対象であるトリガ保留に対応する図柄の変動表示が終了するまで、後続の保留先読み演出の実行を禁止してもよい。この場合、後続の保留先読み演出として決定された保留変化演出パターン又は連続演出パターンにおいて、演出内容が規定された図柄の変動表示中であっても、先行する保留先読み演出が実行されている間は、実行をキャンセルする。
【０２３５】
特定遊技中には、第１の保留球を対象とした保留先読み演出の実行を禁止してもよい。この場合、既に保留されている第１の保留球が全て消化されてから、第２の保留球を対象とした保留先読み演出の実行が許可される。
【０２３６】
確変状態の通常遊技中には、確変を伴わない大当りが発生すると、特別遊技が実行された後に確変状態から通常状態に移行されて遊技状態が変わるので、確変を伴わない大当りとなる保留球が保留されている間は、保留先読み演出の実行を禁止してもよい。
【０２３７】
（保留球数が所定数に達した場合に実行される特殊演出）
第１保留手段と第２保留手段に保留されている保留球の合計数が所定数に達した場合、所定数に達していないときに実行される通常演出とは異なる特殊演出を実行してもよい。例えば、通常状態の通常遊技中に保留球数の合計が上限である８個になったときに特殊演出を実行してもよい。この場合、連続演出が実行されている、又は、連続演出を実行すると決定されている場合であっても、特殊演出を優先して実行してもよい。連続演出が特殊演出に干渉しない場合は、両者を並行して実行してもよいが、連続演出が特殊演出に干渉する場合は、連続演出の実行をキャンセルしてもよい。連続演出の対象となっているトリガ保留に対応する当否判定の結果が大当りである場合は、連続演出を優先して実行してもよい。この場合も、特殊演出が連続演出に干渉しない場合は、両者を並行して実行してもよいが、特殊演出が連続演出に干渉する場合は、特殊演出の実行をキャンセルしてもよい。
【０２３８】
保留変化演出を実行中に、特殊演出を実行するための条件が充足された場合、特殊演出が保留変化演出に干渉しない場合、すなわち、特殊演出により保留球画像表示領域や保留球画像が変更されない場合には、両者を並行して実行してもよい。特殊演出の実行中に、保留球画像が特殊演出に合わせた表示に変更されるなど、特殊演出が保留変化演出に干渉する場合には、特殊演出を優先して実行し、保留変化演出の実行をキャンセルしてもよい。
【０２３９】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。以下、変形例を挙げる。
【０２４０】
保留球画像テーブルの変形例として、事前判定情報のうち変動パターンの範囲情報を基にテーブルを切り替えてもよい。例えば、特定の範囲の変動パターンでは当否に関係なく特定のリーチを発生させるように設計する場合などに、保留球画像を「決闘（※バトルリーチ対応）」という文字列に変更することで、当該変動での変動演出パターンを予告する表示を行うことができる。その他、事前図柄判定情報を用いてもよい。
【符号の説明】
【０２４１】
６０  演出表示装置、  １１４  第１パターン決定手段、  １１９  第２パターン決定手段、  １３０  パターン記憶手段、  １３２  演出決定手段、  １３４  演出表示制御手段、  ２００  メイン基板、  ３００  サブ基板。
【図１】
2020168521.tif 000003
【図２】
2020168521.tif 000004
【図３】
2020168521.tif 000005
【図４】
2020168521.tif 000006
【図５】
2020168521.tif 000007
【図６】
2020168521.tif 000008
【図７】
2020168521.tif 000009
【図８】
2020168521.tif 000010
【図９】
2020168521.tif 000011
【図１０】
2020168521.tif 000012
【図１１】
2020168521.tif 000013
【図１２】
2020168521.tif 000014
【図１３】
2020168521.tif 000015
【図１４】
2020168521.tif 000016
【図１５】
2020168521.tif 000017
【図１６】
2020168521.tif 000018
【図１７】
2020168521.tif 000019
【図１８】
2020168521.tif 000020
【図１９】
2020168521.tif 000021
【図２０】
2020168521.tif 000022
【図２１】
2020168521.tif 000023
【図２２】
2020168521.tif 000024
【図２３】
2020168521.tif 000025
【図２４】
2020168521.tif 000026
【図２５】
2020168521.tif 000027
【図２６】
2020168521.tif 000028
【図２７】
2020168521.tif 000029
【図２８】
2020168521.tif 000030